(57)【特許請求の範囲】
【請求項１】
セットばねの付勢力によって回転し、先羽根群を露光開口を閉じる方向へ駆動させる先羽根用第１駆動部材と、先羽根用駆動ばねの付勢力によって回転し、前記セットばねの付勢力に抗して前記先羽根用第１駆動部材を押動することで前記先羽根群を露光開口を開く方向へ駆動させる先羽根用第２駆動部材とで構成された先羽根用駆動手段を有するとともに、前記先羽根用第１駆動部材による前記先羽根の露光開口を閉じる方向への回転の抑止と該抑止の解除とを切換えることにより、露光作動後の待機時に画枠を開放するノーマリーオープン方式の撮影と露光作動後の待機時に画枠を閉鎖するノーマリークローズ方式の撮影とを切換え可能な切換機構を備えたフォーカルプレンシャッタであって、
前記切換機構が、
片側方向にのみ通電される電磁石と、
前記先羽根用第１駆動部材に設けられている被係止部と当接する係止部と、前記電磁石への片側方向の通電と該通電の解除との切換えに応じて該電磁石に対する力の向きが切換わり、前記通電時には前記係止部が前記被係止部と当接する位置に移動させ、前記通電の解除時には前記係止部が前記被係止部と当接しない位置に移動させる作動部とを有し、軸を中心として回転可能な抑止部材を有してなり、
前記抑止部材は、一端に前記係止部を有しており、
前記抑止部材の他端は、前記通電時には前記一端の係止部が前記被係止部に当接しないよう回動し、
露光作動後待機前に前記係止部が前記被係止部に当接するか否かに応じて、前記先羽根用第１駆動部材に対する前記先羽根の露光開口を閉じる方向への回転の抑止と該抑止の解除とが切換わることを特徴とするカメラ用フォーカルプレンシャッタ。
【請求項２】
前記抑止部材は、
他端に第１の永久磁石を備え、
前記作動部が前記第１の永久磁石からなり、
前記電磁石への片側方向の通電時には、該電磁石が前記第１の永久磁石に対する反発力を有し、該第１の永久磁石の該電磁石に対する反発力により、前記一端の係止部が前記被係止部に当接しないように前記他端が回動し、前記電磁石への通電の解除時には、前記第１の永久磁石の該電磁石に対する吸引力により、前記一端の係止部が前記被係止部と当接するように前記他端が回動することを特徴とする請求項１に記載のカメラ用フォーカルプレンシャッタ。
【請求項３】
さらに、前記電磁石が、前記第１の永久磁石に対する反発力を有する第２の永久磁石を備え、
前記電磁石への片側方向の通電時には、該電磁石が前記第２の永久磁石の前記第１の永久磁石に対する反発力を打ち消す磁力を発し、該第１の永久磁石の該電磁石に対する吸引力により、前記一端の係止部が前記被係止部に当接しないように前記他端が回動し、前記電磁石への通電の解除時には、前記第２の永久磁石の前記第１の永久磁石に対する反発力により、前記一端の係止部が前記被係止部と当接するように前記他端が回動することを特徴とする請求項２に記載のカメラ用フォーカルプレンシャッタ。
【請求項４】
前記先羽根用第１駆動部材は、前記被係止部の外側に押動部を有し、
前記抑止部材は、前記係止部の外側に被押動部を有し、
前記係止部が前記先羽根用第１駆動部材の前記被係止部に当接可能な位置にある状態で、前記先羽根群が露光開口を開く方向に駆動するように前記先羽根用第１駆動部材が回転させられたときに、前記先羽根用第１駆動部材の前記押動部が前記抑止部材の前記被押動部を押し退けて、前記係止部による前記先羽根用第１駆動部材の前記被係止部の係止が掛かるように当接することを特徴とする請求項１〜３のいずれかに記載のカメラ用フォーカルプレンシャッタ。
【請求項５】
露光開口を開閉する羽根群、
前記露光開口を閉じるように前記羽根群を駆動させる第１駆動部材、
前記第１駆動部材に付勢力を与えるセットばね、
前記セットばねの付勢力に抗して前記第１駆動部材を押動して、前記露光開口を開くように前記羽根群を駆動させる第２駆動部材、
前記第２駆動部材に付勢力を与える駆動ばね、
軸を中心として回転可能であって、一端が前記第１駆動部材に当接する抑止部材、および
電磁石が通電されたとき、前記抑止部材の他端を回動させる作動部を備え、
前記電磁石が通電され前記作動部が前記抑止部材の他端を回動させたとき、前記抑止部材の前記一端は前記第１駆動部材に当接せず、
前記電磁石が通電されていないとき、前記抑止部材の前記一端は前記第１駆動部材と当接可能な状態となる、カメラ用フォーカルプレンシャッタ。
【請求項６】
請求項１〜５のいずれかに記載のカメラ用フォーカルプレンシャッタを備えていることを特徴とするデジタルカメラ。
【発明の詳細な説明】
【技術分野】
【０００１】
本発明は、カメラ用フォーカルプレンシャッタ及びそれを備えたデジタルカメラに関する。
【背景技術】
【０００２】
撮影に際して、一組もしくは複数組の羽根群を駆動させ、感光面の露光を行い、待機時には画枠を開放し映像を取り込めるようにしたカメラ用のノーマリーオープン方式の撮影を採用したフォーカルプレンシャッタが現在良く使用されている。そして、ノーマリーオープン方式の撮影を採用したフォーカルプレンシャッタにおいては、切換機構を用いて露光作動後の待機時に画枠を閉鎖するノーマリークローズ方式の撮影と切換可能なものも提案されている。
【０００３】
しかるに、現在、カメラに使用されるフォーカルプレンシャッタには、例えば、本件出願人の提案による次の特許文献１や特許文献２に記載されるようなシャッタがある。
【先行技術文献】
【特許文献】
【０００４】
【特許文献１】特開２０１１−１３７９８６号公報
【特許文献２】特開２０１１−１１３０６０号公報
【発明の概要】
【発明が解決しようとする課題】
【０００５】
特許文献１や特許文献２に記載のフォーカルプレンシャッタは、撮影の待機状態において露光開口を開いた状態とすべく、先羽根の閉じ方向への移動を抑止し、撮影時に先羽根の閉じ方向への移動の抑止を解除するための抑止部材が、永久磁石回転子やソレノイド等の回転方向や直線方向に往復作動可能な可動子を備え、可動子に備わるコイルに対し二方向に通電することにより、可動子を先羽根の閉じ方向への移動を抑止する方向とその抑止を解除する方向とに移動させる電磁装置で構成されている。そして、ノーマリーオープン方式の撮影を、このような電磁装置からなる抑止部材の往復作動可能な可動子のコイルへの通電方向の切り換えにより、先羽根用第１駆動部材の被抑止部の作動軌跡内への出入りを切り換えることで行っている。
【０００６】
しかし、特許文献１，２に記載のフォーカルプレンシャッタのように、ソレノイドや永久磁石回転子を切換機構に用いるとコスト高となってしまう。また、永久磁石回転子では可動子としての作動範囲が限定されたものとなり、配置の自由度が低くなる。しかも、電磁装置に対する通電を二方向へ切り替えるのでは、その分、消費電力が大きくなってしまう。
【０００７】
本発明は、このような問題点を解決するためになされたものであり、その目的とするところは、ノーマリーオープン方式の撮影とノーマリークローズ方式の撮影との切換が可能なタイプのフォーカルプレンシャッタにおいて、切換機構のコストが安く、アクチュエータの配置の自由度が高く、しかも、消費電力が少ないカメラ用フォーカルプレンシャッタ及びそれを備えたデジタルカメラを提供することである。
【課題を解決するための手段】
【０００８】
上記の目的を達成するために、本発明のカメラ用フォーカルプレンシャッタは、セットばねの付勢力によって回転し、先羽根群を露光開口を閉じる方向へ駆動させる先羽根用第１駆動部材と、先羽根用駆動ばねの付勢力によって回転し、セットばねの付勢力に抗して先羽根用第１駆動部材を押動することで先羽根群を露光開口を開く方向へ駆動させる先羽根用第２駆動部材とで構成された先羽根用駆動手段を有するとともに、先羽根用第１駆動部材による先羽根の露光開口を閉じる方向への回転の抑止と該抑止の解除とを切換えることにより、露光作動後の待機時に画枠を開放するノーマリーオープン方式の撮影と露光作動後の待機時に画枠を閉鎖するノーマリークローズ方式の撮影とを切換え可能な切換機構を備えたフォーカルプレンシャッタであって、切換機構が、片側方向にのみ通電される電磁石と、先羽根用第１駆動部材に設けられている被係止部と当接する係止部と、電磁石への片側方向の通電と該通電の解除との切換えに応じて該電磁石に対する力の向きが切換わり、通電時には係止部を、被係止部との係止を解除可能な位置に移動させ、通電の解除時には係止部を、被係止部を係止可能な位置に移動させる作動部とを有し、軸を中心として回転可能な抑止部材を有してなり、抑止部材は、一端に係止部を有しており、抑止部材の他端は、通電時には一端の係止部が被係止部に当接しないよう回動し、露光作動後待機前に係止部が被係止部に当接するか否かに応じて、先羽根用第１駆動部材に対する先羽根の露光開口を閉じる方向への回転の抑止と該抑止の解除とが切換わることを特徴としている。
【０００９】
また、本発明のカメラ用フォーカルプレンシャッタにおいては、抑止部材は、他端に第１の永久磁石を備え、作動部が第１の永久磁石からなり、電磁石への片側方向の通電時には、該電磁石が第１の永久磁石に対する反発力を有し、該第１の永久磁石の該電磁石に対する反発力により、一端の係止部が被係止部に当接しないように他端が回動し、電磁石への通電の解除時には、第１の永久磁石の該電磁石に対する吸引力により、一端の係止部が被係止部と当接するように他端が回動するのが好ましい。
【００１０】
また、本発明のカメラ用フォーカルプレンシャッタにおいては、さらに、電磁石が、第１の永久磁石に対する反発力を有する第２の永久磁石を備え、電磁石への片側方向の通電時には、該電磁石が第２の永久磁石の第１の永久磁石に対する反発力を打ち消す磁力を発し、該第１の永久磁石の該電磁石に対する吸引力により、一端の係止部が被係止部に当接しないように他端が回動し、電磁石への通電の解除時には、第２の永久磁石の第１の永久磁石に対する反発力により、一端の係止部が被係止部と当接するように他端が回動するのが好ましい。
【００１１】
また、本発明のカメラ用フォーカルプレンシャッタにおいては、先羽根用第１駆動部材は、被係止部の外側に押動部を有し、抑止部材は、係止部の外側に被押動部を有し、係止部が先羽根用第１駆動部材の被係止部に当接可能な位置にある状態で、先羽根群が露光開口を開く方向に駆動するように先羽根用第１駆動部材が回転させられたときに、先羽根用第１駆動部材の押動部が抑止部材の被押動部を押し退けて、係止部による先羽根用第１駆動部材の被係止部の係止が掛かるように当接するのが好ましい。
【００１２】
また、本発明の他のカメラ用フォーカルプレンシャッタは、露光開口を開閉する羽根群、露光開口を閉じるように羽根群を駆動させる第１駆動部材、第１駆動部材に付勢力を与えるセットばね、セットばねの付勢力に抗して第１駆動部材を押動して、露光開口を開くように羽根群を駆動させる第２駆動部材、第２駆動部材に付勢力を与える駆動ばね、軸を中心として回転可能であって、一端が第１駆動部材に当接する抑止部材、および電磁石が通電されたとき、抑止部材の他端を回動させる作動部を備え、電磁石が通電され作動部が抑止部材の他端を回動させたとき、抑止部材の一端は第１駆動部材に当接せず、電磁石が通電されていないとき、抑止部材の一端は第１駆動部材と当接可能な状態となる。
【００１３】
更に、本発明のデジタルカメラは、上記のような各カメラ用フォーカルプレンシャッタを備えている。
【発明の効果】
【００１４】
本発明によれば、前記切換機構が、片側方向にのみ通電される電磁石と、前記先羽根用第１駆動部材に設けられている被係止部を係止可能な係止部と、前記電磁石への片側方向の通電と該通電の解除との切換えに応じて該電磁石に対する力の向きが切換わり、前記通電時には前記係止部を、前記被係止部との係止を解除可能な位置に移動させ、前記通電の解除時には前記係止部を、前記被係止部を係止可能な位置に移動させる作動部とを有する抑止部材を有してなり、露光作動後待機前の前記係止部による前記被係止部への係止と該係止の解除とに応じて、前記先羽根用第１駆動部材に対する前記先羽根の露光開口を閉じる方向への回転の抑止と該抑止の解除とが切換わるようにしたので、切換機構に特許文献１，２のような永久磁石回転子やソレノイドを用いた構成に比べてコストを低減することができる。また、永久磁石回転子のような配置の自由度が制限されることもない。さらには、抑止部材の係止部による被係止部への係止と該係止の解除との切換えのために行う電磁石への通電の方向が片側方向のみであるので、抑止部材の係止部による被係止部への係止時に片側方向の通電を解除し、係止を解除する時のみ片側方向に通電するように通電を制御することで、通電時間を減らして、消費電力を低減させることができる。
【００１５】
加えて、本発明のカメラ用フォーカルプレンシャッタにおいて、前記抑止部材が、軸を中心として回転可能であって、一端に前記係止部を有するとともに、他端に第１の永久磁石を備え、前記作動部が前記第１の永久磁石からなり、前記電磁石への片側方向の通電時には、該電磁石が前記第１の永久磁石に対する反発力を有し、該第１の永久磁石の該電磁石に対する反発力により、前記係止部が前記被係止部の係止を解除する方向に前記抑止部材が回転し、前記電磁石への通電の解除時には、前記第１の永久磁石の該電磁石に対する吸引力により、前記係止部が前記被係止部を係止する方向に前記抑止部材が回転するようにすれば、切換機構の部品数を簡素化することができる。
【００１６】
また、本発明のカメラ用フォーカルプレンシャッタにおいて、さらに、前記電磁石が、前記第１の永久磁石に対する反発力を有する第２の永久磁石を備え、前記電磁石への片側方向の通電時には、該電磁石が前記第２の永久磁石の前記第１の永久磁石に対する反発力を打ち消す磁力を発し、該第１の永久磁石の該電磁石に対する吸引力により、前記係止部が前記被係止部の係止を解除する方向に前記抑止部材が回転し、前記電磁石への通電の解除時には、前記第２の永久磁石の前記第１の永久磁石に対する反発力により、前記係止部が前記被係止部を係止する方向に前記抑止部材が回転するようにすれば、電磁石への片側方向の通電による抑止部材の回転方向に関し、電磁石の反発方向あるいは吸引方向のいずれの方向にも設計でき、設計の自由度が大きくなる。
【００１７】
また、本発明のカメラ用フォーカルプレンシャッタにおいて、前記抑止部材が、軸を中心として回転可能であって、一端に前記係止部を有するとともに、他端に強磁性体部を備え、さらに、前記他端を前記電磁石から離す方向に付勢するばねを備え、前記作動部が前記強磁性体部と前記他端を前記電磁石から離す方向に付勢するばねとからなり、前記電磁石への片側方向の通電時には、該電磁石が前記強磁性体部に対する吸引力を有し、該強磁性体部の該電磁石に対する吸引力により、前記電磁石から離す方向に付勢するばねの付勢力に抗して前記係止部が前記被係止部の係止を解除する方向に前記抑止部材が回転し、前記電磁石への通電の解除時には、前記電磁石から離す方向に付勢するばねの力により、前記係止部が前記被係止部を係止する方向に前記抑止部材が回転するようにすれば、抑止部材に磁石を用いない構成が実現できる。
【００１８】
また、本発明のカメラ用フォーカルプレンシャッタにおいて、前記先羽根用第１駆動部材は、前記被係止部の外側に押動部を有し、前記抑止部材が、前記係止部の外側に被押動部を有し、前記係止部が前記先羽根用第１駆動部材の前記被係止部を係止可能な位置にある状態で、前記先羽根群が露光開口を開く方向に駆動するように前記先羽根用第１駆動部材が回転させられたときに、前記先羽根用第１駆動部材の前記押動部が前記抑止部材の前記被押動部を押し退けて、前記係止部による前記先羽根用第１駆動部材の前記被係止部の係止が掛かるようにすれば、抑止部材を用いて先羽根用第１駆動部材の被係止部を係止するために電磁石に対して行う片側方向の通電及び通電の解除の回数を減らして、通電時間を短縮することができ、その分、省電力化できる。
【００１９】
このため、本発明によれば、ノーマリーオープン方式の撮影とノーマリークローズ方式の撮影との切換が可能なタイプのフォーカルプレンシャッタにおいて、切換機構のコストが安く、アクチュエータの配置の自由度が高く、しかも、消費電力が少ないカメラ用フォーカルプレンシャッタ及びそれを備えたデジタルカメラが得られる。
【図面の簡単な説明】
【００２０】
【図１】本発明の第１実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。
【図２】図１の状態から、セット部材が初期位置に戻った状態を示す平面図である。
【図３】図２の状態から、抑止レバーが先羽根用第１駆動部材の被係止部の走行軌道外に移動した、露光作動直前の状態を示す平面図である。
【図４】図３の状態から、先羽根及び後羽根が順に走行し露光作動が完了した後、抑止レバーが先羽根用第１駆動部材の被係止部の走行軌道内に移動し、先羽根用第１駆動部材を係止しうる状態を示す平面図である。
【図５】図４の状態から、セット作動を行いセット作動が完了する直前の画枠が開放状態になったときの状態を示す平面図である。
【図６】図５の状態を経てセット作動が完了した状態から、レリーズボタンを押されることによって、抑止レバーが先羽根用第１駆動部材の被係止部の走行軌道外に移動して先羽根用第１駆動部材の係止を解除し、先羽根が露光開口を覆う位置に戻った状態を示す平面図である。
【図７】第１実施例のカメラ用フォーカルプレンシャッタにおける、ノーマリーオープン方式の撮影での作動の変形例を示す図であって、図２の状態から抑止レバーを先羽根用第１駆動部材の被係止部の走行軌道外に移動させることなく、露光作動を開始した途中の状態を示す図であって、先羽根が露光作動を終了する直前において先羽根用第１駆動部材が抑止レバーに制動されるときの状態を示す平面図である。
【図８】本発明の第２実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。
【図９】図８の状態から、セット部材が初期位置に戻った状態を示す平面図である。
【図１０】図９の状態から、抑止レバーが先羽根用第１駆動部材の被係止部の走行軌道外に移動した、露光作動直前の状態を示す平面図である。
【図１１】図１０の状態から、先羽根及び後羽根が順に走行し露光作動が完了した後、抑止レバーが先羽根用第１駆動部材の被係止部の走行軌道内に移動し、先羽根用第１駆動部材を係止しうる状態を示す平面図である。
【図１２】図１１の状態から、セット作動を行いセット作動が完了する直前の画枠が開放状態になったときの状態を示す平面図である。
【図１３】図１２の状態を経てセット作動が完了した状態から、レリーズボタンを押されることによって、抑止レバーが先羽根用第１駆動部材の被係止部の走行軌道外に移動して先羽根用第１駆動部材の係止を解除し、先羽根が露光開口を覆う位置に戻った状態を示す平面図である。
【図１４】第２実施例のカメラ用フォーカルプレンシャッタにおける、ノーマリーオープン方式の撮影での作動の変形例を示す図であって、図９の状態から抑止レバーを先羽根用第１駆動部材の被係止部の走行軌道外に移動させることなく、露光作動を開始した途中の状態を示す図であって、先羽根が露光作動を終了する直前において先羽根用第１駆動部材が抑止レバーに制動されるときの状態を示す平面図である。
【図１５】本発明の第３実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。
【図１６】図１５の状態から、セット部材が初期位置に戻った状態を示す平面図である。
【図１７】図１６の状態から、抑止レバーが先羽根用第１駆動部材の被係止部の走行軌道外に移動した、露光作動直前の状態を示す平面図である。
【図１８】図１７の状態から、先羽根及び後羽根が順に走行し露光作動が完了した後、抑止レバーが先羽根用第１駆動部材の被係止部の走行軌道内に移動し、先羽根用第１駆動部材を係止しうる状態を示す平面図である。
【図１９】図１８の状態から、セット作動を行いセット作動が完了する直前の画枠が開放状態になったときの状態を示す平面図である。
【図２０】図１９の状態を経てセットが完了した状態から、レリーズボタンを押されることによって、抑止レバーが先羽根用第１駆動部材の被係止部の走行軌道外に移動して先羽根用第１駆動部材の係止を解除し、先羽根が露光開口を覆う位置に戻った状態を示す平面図である。
【図２１】第３実施例のカメラ用フォーカルプレンシャッタにおける、ノーマリーオープン方式の撮影での作動の変形例を示す図であって、図１６の状態から抑止レバーを先羽根用第１駆動部材の被係止部の走行軌道外に移動させることなく、露光作動を開始した途中の状態を示す図であって、先羽根が露光作動を終了する直前において先羽根用第１駆動部材が抑止レバーに制動されるときの状態を示す平面図である。
【発明を実施するための形態】
【００２１】
本発明の実施の形態を、図示した実施例によって説明する。これらの実施例は、ダイレクトタイプのフォーカルプレンシャッタの構成に本発明を適用したものであるが、本発明は、係止タイプとして構成したものにも適用することが可能である。
【実施例】
【００２２】
第１実施例
先ず、主に、図１及び図２を用いて、本発明の第１実施例の構成を説明する。図１は、本発明の第１実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。尚、本実施例の説明においては、本実施例のフォーカルプレンシャッタをカメラに組み込んだとき、図１の表面側（手前側）が被写体側（撮影レンズ側）であり、図１の背面側が撮像素子側であることを前提にして説明する。しかしながら、周知のように、デジタルカメラの場合には、図１の表面側を撮像素子側にし、図１の背面側を被写体側にすることもある。
【００２３】
図１において、シャッタ地板１の略中央部には、長方形を横長にした露光用の開口部１ａが形成されている。また、周知のように、シャッタ地板１の背面側には、所定の間隔を空けて、中間板２と補助地板３が順に取り付けられており、シャッタ地板１と中間板２との間に先羽根の羽根室を構成し、中間板２と補助地板３との間に後羽根の羽根室を構成している。そして、中間板２と補助地板３にも、開口部１ａと類似している開口部２ａ，３ａが形成されている。そして、被写体光を通過させるためのシャッタユニットとしての露光開口の形状は、それらの開口部１ａ，２ａ，３ａの二つ以上で形成されることもあるが、本実施例においては、開口部１ａの形状だけで露光開口の形状が決められている。
【００２４】
尚、本実施例のシャッタ地板１は合成樹脂製である。また、図１は、中間板２と補助地板３の一部が見えるようにするために、シャッタ地板１の開口部１ａに隣接する一部の領域を故意に破断して示している。更に、図１においては、中間板２、補助地板３の外形形状は、シャッタ地板１の外形と略同じであるため示されていないが、このことは、図２〜図７の場合も同じである。
【００２５】
シャッタ地板１には、開口部１ａの左側の領域に、円弧状の二つの長孔１ｂ，１ｃが形成されている。長孔１ｂの両端部及び長孔１ｃの下端部には、図示していないが、例えば、平面形状が略Ｃ字状をした周知のゴム製の緩衝部材が取り付けられている。また、中間板２、補助地板３は、薄い板部材であって、長孔１ｂ，１ｃを形成している領域と重なるため、実際には、それらの長孔１ｂ，１ｃと重なるところに、略同じ形状をした図示していない長孔が形成されている。
【００２６】
シャッタ地板１の表面側、即ち被写体側には、軸１ｄ，１ｅ，１ｆ，１ｇが立設されている。また、シャッタ地板１の背面側、即ち撮像素子側には、軸１ｈ，１ｉ，１ｊ，１ｋが立設されているが、それらのうち、軸１ｈ，１ｉは、軸１ｄ，１ｅと同心上に立設されている。
【００２７】
シャッタ地板１の表面側には、実際には、このほかにも、複数の柱が立設されており、それらの先端には、支持板４と図示していないプリント配線板とが、支持板４をシャッタ地板１側にして取り付けられており、その支持板４のシャッタ地板１側には、各々が、略Ｕ字形をしていて二つの脚部の先端を磁極部とした鉄芯部材６ａ，７ａと、コイルを巻回していて鉄芯部材の一方の脚部に嵌装されたボビン６ｂ，７ｂとで構成されている、先羽根用電磁石６と後羽根用電磁石７が取り付けられている。
【００２８】
シャッタ地板１の表面側に立設されている軸１ｄには、先羽根用駆動機構を構成していて、いずれも合成樹脂製である、先羽根用第１駆動部材１１と先羽根用第２駆動部材１２とが、先羽根用第１駆動部材１１をシャッタ地板１側にして、個々に回転可能に取り付けられている。尚、それらのうち、先羽根用第１駆動部材１１の形状については、図１よりも図５の方に理解し易く示されている。
【００２９】
先羽根用第１駆動部材１１は、被押動部１１ａと、駆動ピン１１ｂと、被係止部１１ｃと、押動部１１ｄとを有している。それらの部位のうち、被押動部１１ａと駆動ピン１１ｂは、表面側と背面側とで重なるように形成されており、背面側に形成されている駆動ピン１１ｂは、シャッタ地板１の長孔１ｂに挿入されている。そして、この駆動ピン１１ｂは、根元側の部位の断面が円形をしていて、その円弧面が長孔１ｂの両端部に取り付けられている、図示していない緩衝部材に当接し得るようになっている。また、先端側の部位の断面は砲弾形をしていて、後述のように羽根室内で先羽根に連結されており、その最先端部を、中間板２、補助地板３に形成されていて長孔１ｂと略同じ形状をしている図示していない長孔に挿入している。尚、駆動ピン１１ｂの根元側の部位の断面はＤ形であってもよい。また、駆動ピン１１ｂの先端側の部位の断面形状は小判形であってもよい。被押動部１１ａは、半球面形状に形成されている。また、駆動ピン１１ｂの根元側端面における外縁領域には、略三角柱状の凸部が形成されている。凸部における三角柱の内側（長孔１ｂの上端側）の面は、被係止部１１ｃとして機能し、後述する抑止レバー１８ａ−１の係止部１８ａ−１1に係止されうるようになっている。凸部における被係止部１１ｃよりも外側（長孔１ｂの下端側）に位置する三角柱の面は、押動部１１ｄとして機能し、抑止レバー１８ａ−１の被押動部１８ａ−１2を押すことができるようになっている。
【００３０】
他方、先羽根用第２駆動部材１２は、被写体側に部厚く形成した取付部１２ａと、押動部１２ｂと、被押動部１２ｃとを有している。そして、周知のように図示していない先羽根用駆動ばねの付勢力によって時計方向（図１における軸１ｄを中心とした矢印Ａ方向）へ回転するように付勢されている。取付部１２ａの内部には、周知のように、鉄片部材１３と図示していない圧縮ばねとが収容されている。押動部１２ｂは、先羽根用第２駆動部材１２が時計方向へ回転するとき、先羽根用第１駆動部材１１に設けられている被押動部１１ａを押す部位である。
【００３１】
鉄片部材１３は、軸部１３ａの一端に円盤状をした頭部１３ｂを有していて、他端には鉄片部１３ｃが取り付けられている。そして、この鉄片部材１３は、取付部１２ａ内で軸部１３ａに嵌装した上記の圧縮ばねによって、鉄片部１３ｃを取付部１２ａ内から突き出すように付勢されているが、頭部１３ｂが取付部１２ａの縁に接触していることによって、図１に示された状態が維持されている。
【００３２】
シャッタ地板１の表面側に立設されている軸１ｅには、後羽根用駆動機構を構成していて、合成樹脂製である、後羽根用駆動部材１４が、回転可能に取り付けられている。
【００３３】
後羽根用駆動部材１４は、被写体側に部厚く形成した取付部１４ａと、駆動ピン１４ｂとを有している。背面側に形成されている駆動ピン１４ｂは、シャッタ地板１の長孔１ｃに挿入されている。そして、この駆動ピン１４ｂは、根元側の部位の断面が円形をしていて、その円弧面が長孔１ｃの下端部に取り付けられている、図示していない緩衝部材に当接し得るようになっている。また、先端側の部位の断面は砲弾形をしていて、後述のように羽根室内で後羽根に連結されており、その最先端部を、中間板２、補助地板３に形成されていて長孔１ｃと略同じ形状をした図示していない長孔に挿入している。尚、駆動ピン１４ｂの根元側の部位の断面はＤ形であってもよい。また、駆動ピン１４ｂの先端側の部位の断面形状は小判形であってもよい。
【００３４】
また、後羽根用駆動部材１４におけるシャッタ地板１側の面には、被押動部としてのローラー１５が取り付けられている。そして、周知のように、この後羽根用駆動部材１４は、図示していない後羽根用駆動ばねの付勢力によって時計方向（図１における軸１ｅを中心とした矢印Ｃ方向）へ回転するように付勢されている。
【００３５】
この後羽根用駆動部材１４の取付部１４ａにも、その内部に、鉄片部材１６と図示していない圧縮ばねとが収容されている。そして、鉄片部材１６は、軸部１６ａの一端に円盤状をした頭部１６ｂを有していて、他端には鉄片部１６ｃを取り付けている。また、この鉄片部材１６は、取付部１４ａ内で軸部１６ａに嵌装されている上記の圧縮ばねによって、鉄片部１６ｃを取付部１４ａ内から突き出すように付勢されているが、頭部１６ｂが取付部１４ａの縁に接触していることによって、図１に示された状態が維持されている。
【００３６】
シャッタ地板１の表面側に立設されている軸１ｆには、合成樹脂製のセット部材１７が回転可能に取り付けられている。このセット部材１７は、先羽根用第２駆動部材１２の被押動部１２ｃを押す押動部１７ａと、後羽根用駆動部材１４に取り付けられているローラー１５を押す押動部１７ｂと、図示していないカメラ本体側の部材によって押される被押動部１７ｃとを有しているほか、シャッタ地板１側の面には、軸１ｆを囲む略全域に肉厚部が形成されるとともに、一部の外縁領域に軸１ｆを中心とする円周方向に沿って薄肉部が、セット位置にセットされる先羽根用第２駆動部材１２との干渉を避けることができるように形成されている。押動部１７ａは、セット部材１７の薄肉部に形成され、押動部１７ｂ、被押動部１７ｃは、セット部材１７の肉厚部に形成されている。
【００３７】
そして、このセット部材１７は、図示していない復帰ばねによって反時計方向（図１における軸１ｆを中心とした矢印Ｅ方向）へ回転するように付勢されている。図１は、被押動部１７ｃが図示していないカメラ本体側の部材によって押され、そのような復帰ばねの付勢力に抗して時計方向（図１における軸１ｆを中心とした矢印Ｅ方向とは反対方向）へ回転させられ、押動部１７ａが被押動部１２ｃを押すとともに押動部１７ｂがローラー１５を押して先羽根用第２駆動部材１２、後羽根用駆動部材１４を図示していない夫々の駆動ばねの付勢力に抗して反時計方向（図１における軸１ｄを中心とした矢印Ａ方向とは反対側の方向、軸１ｅを中心とした矢印Ｃ方向とは反対側の方向）へ回転させて、先羽根用第２駆動部材１２の駆動ピン１２ｂが長孔１ｂの上端部に取り付けられている、図示していない緩衝部材に当接するとともに、後羽根用駆動部財１４の駆動ピン１４ｂが長孔１ｃの上端部に当接した位置で停止させられている状態を示したものである。以下、セット部材１７については、この位置をセット位置ということにする。
【００３８】
本実施例では、セット部材１７が、一体成形することによって一つの部品にして制作されている。尚、セット部材１５の量産を考慮する場合には、例えば、被押動部１７ｃを有している部位だけを金属製とし、その他の部位を合成樹脂製として、一体化して一つの部品にしてもよい。
【００３９】
シャッタ地板１の表面側には、切換機構１８が取り付けられている。切換機構１８は、抑止レバー部１８ａと、電磁石１８ｂを有している。
【００４０】
抑止レバー部１８ａは、シャッタ地板１の表面側に立設されている軸１ｇに回転可能に取り付けられた抑止部材としての抑止レバー１８ａ−１と、ストッパ１８ａ−２を有している。
抑止レバー１８ａ−１は、一端に先羽根用第１駆動部材１１の被係止部１１ｃを係止可能であって、被係止部１１ｃに係合することによって、先羽根用第１駆動部材１１の反時計方向の回転を係止する係止部１８ａ−１1と、係止部１８ａ−１1の外側に形成された被押動部１８ａ−１2を有し、他端に作動部としての永久磁石１８ａ−１3を有している。
被押動部１８ａ−１2は、係止部１８ａ−１1が先羽根用第１駆動部材１１の被係止部１１ｃを係止しうる位置に位置している状態で、先羽根用第２駆動部材１２によって先羽根用第１駆動部材１１が露光開口を開かせる方向に回転させられたときに、先羽根用第１駆動部材１１の押動部１１ｄに押動されるように形成されている。
永久磁石１８ａ−１3は、コイル１８ｂ−２に対する片側方向の通電が解除されているときに、電磁石１８ｂに対して吸引力として作用し、コイル１８ｂ−２に対する片側方向の通電がされているときに、電磁石１８ｂに対して反発力として作用する磁力を発する。
ストッパ１８ａ−２は、シャッタ地板１の表面側に設けられていて、抑止レバー１８ａ−１が当接することによって、係止部１８ａ−１1による先羽根用第１駆動部材１１の被係止部１１ｃの係止を解除する方向（本実施例では反時計方向、即ち、図１に示す軸１ｇを中心とした矢印Ｆ方向）に回転させられる抑止レバー１８ａ−１を、係止部１８ａ−１1による被係止部１１ｃとの係止を解除しうる、長孔１ｂの下端部近傍から外れた位置に停止させる。
【００４１】
電磁石１８ｂは、各々が略Ｕ字形をしていて二つの脚部の先端を磁極部とした鉄芯部材１８ｂ−１と、コイル１８ｂ−２を巻回していて鉄芯部材１８ｂ−１の一方の脚部に嵌装されたボビンを有し、シャッタ地板１に螺子止めされている。そして、電磁石１８ｂは、コイル１８ｂ−２に対する片側方向の通電がされると、鉄芯部材１８ｂ−１の一方の脚部先端の磁極部から永久磁石１８ａ−１3に対して反発する磁力を発し、係止部１８ａ−１1による先羽根用第１駆動部材１１の被係止部１１ｃの係止を解除する方向（本実施例では反時計方向）に、抑止レバー１８ａ−１を回転させる。また、電磁石１８ｂは、コイル１８ｂ−２に対する片側方向の通電が解除されると、永久磁石１８ａ−１3の電磁石１８ｂに対する吸引力により、係止部１８ａ−１1により先羽根用第１駆動部材１１の被係止部１１ｃを係止する方向（本実施例では時計方向）に、抑止レバー１８ａ−１を回転させる。
図１は、コイル１８ｂ−２に対する片側方向の通電が解除されている状態において、電磁石１８ｂに永久磁石１８ａ−１3が吸着することによって、抑止レバー１８ａ−１の時計方向への回転が停止し、係止部１８ａ−１1が先羽根用第１駆動部材１１の被係止部１１ｃを係止しうる、長孔１ｂの下端部近傍に位置している状態を示したものである。
【００４２】
次に、シャッタ地板１の背面側の構成を説明する。シャッタ地板１と中間板２の間に配置されている先羽根は、シャッタ地板１の軸１ｈに対して一端を回転可能に取り付けられたアーム１９と、シャッタ地板１の軸１ｊに対して一端を回転可能に取り付けられたアーム２０と、それらの自由端である他端部に向けて順に枢支された３枚の羽根２１，２２，２３とで構成されており、羽根２３が先羽根のスリット形成羽根となっている。そして、周知のように、先羽根用第１駆動部材１１の駆動ピン１１ｂの先端部は、アーム１９に形成された図示していない長孔に嵌合している。
【００４３】
また、シャッタ地板１の軸１ｊには、図示していないねじりコイルばねである先羽根用セットばねが嵌装されていて、その一端をシャッタ地板１に設けられた図示していないばね掛け部に掛け、他端をアーム２０の孔（符号なし）に掛けて、アーム２０を反時計方向（図１における軸１ｊを中心とした矢印Ｂ方向）へ回転させるように付勢している。そのため、この先羽根用セットばねは、先羽根を介して間接的に先羽根用第１駆動部材１１を反時計方向へ回転させるように付勢していることになる。尚、その付勢力は、先羽根用第２駆動部材１２を時計方向へ回転させるように付勢している上記の先羽根用駆動ばねの付勢力よりは弱くなっている。
【００４４】
このような先羽根用セットばねは、本実施例のようには構成しないで、シャッタ地板１の表面側で、一端をシャッタ地板１に掛け、他端を先羽根用第１駆動部材１１に掛けるようにしたり、一端を先羽根用第２駆動部材１２に掛け、他端を先羽根用第１駆動部材１１に掛けるようにしたりすることも知られている。そのため、本発明は、それらのように構成することを妨げるものではない。しかしながら、本実施例のように構成すると、先羽根用セットばねに、先羽根に対する周知のガタ寄せばね（先羽根の構成部品間のガタツキをなくし、スリット形成羽根の露光作動開始位置での姿勢を一定にするためにアーム２０に掛けられるばね）の役目を兼用させることができるので、有利である。
【００４５】
他方、中間板２と補助地板３との間に配置されている後羽根は、シャッタ地板１の軸１ｉに対して一端を回転可能に取り付けられたアーム２４と、シャッタ地板１の軸１ｋに対して一端を回転可能に取り付けられたアーム２５と、それらの自由端である他端部に向けて順に枢支された３枚の羽根２６，２７，２８とで構成されており、羽根２８が後羽根のスリット形成羽根となっている。そして、周知のように、後羽根用駆動部材１４の駆動ピン１４ｂの先端部は、アーム２４に形成された図示していない長孔に嵌合している。
【００４６】
また、シャッタ地板１の軸１ｋには、図示していないねじりコイルばねである後羽根用セットばねが嵌装されていて、その一端をシャッタ地板１の図示していないばね掛け部に掛け、他端をアーム２５の孔（符号なし）に掛けて、アーム２５を反時計方向（図１における軸１ｋを中心とした矢印Ｄ方向）へ回転させるように付勢している。そのため、この後羽根用セットばねは、後羽根を介して間接的に後羽根用駆動部材１４を反時計方向へ回転させるように付勢しているが、その付勢力は、後羽根用駆動部材１４に掛けられている上記の図示していない後羽根用駆動ばねの付勢力よりも弱くなっている。そして、この後羽根用セットばねの場合にも、周知の後羽根のガタ寄せばね（後羽根のスリット形成羽根の露光作動開始位置での姿勢を一定にするためにアーム２５に掛けられるばね）の役目を兼用させているが、後羽根用駆動部材１４に直接掛けるように構成しても差し支えない。なお、便宜上、矢印Ａ〜Ｆは図１にのみ示してある。
【００４７】
次に、上記の構成説明に用いた図１と、図２〜図７を用いて第１実施例のカメラ用フォーカルプレンシャッタの作動を説明する。
尚、第１実施例のカメラ用フォーカルプレンシャッタは、撮影前に、カメラに備えられている図示していないモード選択手段を操作することによって、ノーマリーオープン方式の撮影とノーマリークローズ方式の撮影とを選択して撮影することが可能となっている。
そのため、本実施例の作動説明に際しては、ノーマリーオープン方式の撮影での作動、ノーマリークローズ方式における先羽根と後羽根とで露光作動を行う撮影での作動の順に説明することにする。
【００４８】
図１は、既に説明したように、ノーマリーオープン方式の撮影において、セット作動が完了し、レリーズボタンを押されることによって、抑止レバー１８ａ−１が先羽根用第１駆動部材の被係止部の走行軌道外に移動して先羽根用第１駆動部材の係止を解除し、先羽根が露光開口を覆う位置に戻った後、抑止レバー１８ａ−１が先羽根用第１駆動部材の被係止部の走行軌道内に移動した状態を示したものである。このとき、先羽根用第２駆動部材１２は、被押動部１２ｃがセット部材１７の押動部１７ａに押され、図示していない周知の先羽根用駆動ばねの付勢力に抗して反時計方向に回転させられており、先羽根用第１駆動部材１１が、図示していない先羽根用セットばねの付勢力により反時計方向に回転し、駆動ピン１１ｂを長孔１ｂの上端部に取り付けられている、図示していない緩衝部材に当接させることによって、この停止状態が維持されている。そして、このとき、先羽根の３枚の羽根２１〜２３は、展開状態になって開口部１ａを覆っている。また、先羽根用第１駆動部材１１の被押動部１１ａは、先羽根用第２駆動部材１２の押動部１２ｂに当接している。
【００４９】
他方、後羽根用駆動部材１４は、ローラー１５がセット部材１７の押動部１７ｂに押され、図示していない周知の後羽根用駆動ばねの付勢力に抗して反時計方向へ回転させられ、後羽根用駆動部材１４の駆動ピン１４ｂが長孔１ｃの上端部に当接させることによって、この停止状態が維持されている。そして、このとき、後羽根の３枚の羽根２６〜２８は、重畳状態になって開口部１ａの上方に退避されている。
【００５０】
また、電磁石１８ｂは、コイル１８ｂ−２に対する片側方向の通電が解除（ＯＦＦ）された状態となっていて、永久磁石１８ａ−１3に対して反発する磁力を発生させていない。そのため、抑止レバー１８ａ−１が、永久磁石１８ａ−１3の鉄芯部材１８ｂ−１に対する吸引力により、時計方向へ回転し、永久磁石１８ａ−１3が鉄芯部材１８ｂ−１を吸着保持することによって停止させられており、係止部１８ａ−１1が、先羽根用第１駆動部材１１の被係止部１１ｃを係止しうる、長孔１ｂの下端部近傍に位置している。
【００５１】
図１に示された状態の後、先羽根用電磁石６と後羽根用電磁石７が励磁状態になり、鉄片部材１３，１６が鉄芯部材６ａ，７ａに吸着保持される。次いで、図示していないカメラ本体側の部材が、セット部材１７の被押動部１７ｃに対する押圧力を解く。これにより、セット部材１７は、図示していない復帰ばねの付勢力によって反時計方向へ回転し、図２に示す位置（この位置を初期位置ということとする。）へ復帰させられていく。
その復帰作動の初期段階において、セット部材１７は、押動部１７ａが先羽根用第２駆動部材１２の被押動部１２ｃから離れ、押動部１７ｂが後羽根用駆動部材１４に取り付けられたローラー１５から離れていくので、先羽根用第２駆動部材１２と後羽根用駆動部材１４は、図示していない先羽根用駆動ばねと後羽根用駆動ばねの付勢力によって時計方向へ回転するが、鉄片部材１３，１６が鉄芯部材６ａ，７ａに吸着保持されているため、僅かに回転したところで、それらの取付部１２ａ，１４ａが鉄片部材１３，１６の頭部１３ｂ，１６ｂに当接して、停止させられる。
【００５２】
このような先羽根用第２駆動部材１２の僅かな回転によって、先羽根用第１駆動部材１１は、その被押動部１１ａを先羽根用第２駆動部材１２の押動部１２ｂに押され、図示していない先羽根用セットばねの付勢力に抗して僅かに回転させられるので、先羽根の３枚の羽根２１〜２３も僅かに下方へ移動させられるが、開口部１ａを開き始める前には停止させられる。また、後羽根用駆動部材１４の僅かな回転によって、図示していない後羽根用セットばねの付勢力に抗して僅かに回転させられるので、後羽根の３枚の羽根２６〜２８も僅かに下方へ移動させられるが、開口部１ａを覆い始める前には停止させられる。先羽根用第１駆動部材１１，先羽根，先羽根用第２駆動部材１２，後羽根用駆動部材１４，後羽根にとっては、このようにして得られた位置が、露光作動開始位置である。
【００５３】
セット部材１７がセット位置から初期位置へ復帰するころと殆ど時期を同じくして、電磁石１８ｂは、コイル１８ｂ−２に対して片側方向の電流が供給され、永久磁石１８ａ−１3に対して反発する磁力を発し、反時計方向に抑止レバー１８ａ−１を回転させ、ストッパ１８ａ−２に抑止レバー１８ａ−１を当接させる。これにより、係止部１８ａ−１1が、先羽根用第１駆動部材１１の被係止部１１ｃの係止を解除しうる、長孔１ｂの下端部近傍から外れた位置に退避させられる。このときの状態が図３に示されている。
【００５４】
係止部１８ａ−１1が、先羽根用第１駆動部材１１の被係止部１１ｃの係止を解除しうる、長孔１ｂの下端部近傍から外れた位置に退避させられた後に、先羽根用電磁石６と後羽根用電磁石７が、被写体光の明るさに対応した所定の時間間隔で順に消磁される。先羽根用電磁石６が消磁すると、鉄片部材１３に対する鉄芯部材６ａの吸引力が失われ、先羽根用第２駆動部材１２が、図示していない先羽根用駆動ばねの付勢力によって時計方向へ急速に回転させられる。そのとき、先羽根用第２駆動部材１２は、押動部１２ｂが先羽根用第１駆動部材１１の被押動部１１ａを押し、先羽根用第１駆動部材１１を、図示していない先羽根用セットばねの付勢力に抗して時計方向へ回転させるので、先羽根の３枚の羽根２１〜２３は、隣接する羽根同士の重なりを大きくしながら下方へ移動し、スリット形成羽根２３の上端縁で開口部１ａを開いていく。そして、先羽根用第１駆動部材１１の駆動ピン１１ｂが長孔１ｂの下端部に取り付けられている、図示していない緩衝部材に当接することによって、先羽根用の二つの駆動部材１１，１２と先羽根の作動が停止する。
【００５５】
先羽根用電磁石６が消磁してから所定の時間間隔をおいて、後羽根用電磁石７が消磁する。すると、鉄片部材１６に対する鉄芯部材７ａの吸引力が失われ、後羽根用駆動部材１４が、図示していない後羽根用駆動ばねの付勢力によって、図示していない後羽根用セットばねの付勢力に抗して時計方向へ急速に回転させられる。このため、後羽根の３枚の羽根２６〜２８は、隣接する羽根同士の重なりを大きくしながら下方へ移動し、スリット形成羽根２８の上端縁で開口部１ａを閉じていく。そして、後羽根用駆動部材１４の駆動ピン１４ｂが長孔１ｃの下端部に取り付けられている、図示していない緩衝部材に当接することによって、後羽根用駆動部材１４と後羽根の作動が停止する。これにより露光作動が完了する。
【００５６】
露光作動完了状態になると、直ちに撮像情報が撮像素子から情報処理回路を介して記憶装置に転送される。撮像情報の転送可能時間が経過後に、コイル１８ｂ−２に対する片側方向の通電が解除され、電磁石１８ｂは、永久磁石１８ａ−１3に対して反発する磁力を発生させなくなる。これにより、抑止レバー１８ａ−１が、永久磁石１８ａ−１3の鉄芯部材１８ｂ−１に対する吸引力により、時計方向へ回転し、永久磁石１８ａ−１3が鉄芯部材１８ｂ−１を吸着保持することによって停止させられる。このとき、係止部１８ａ−１1が、先羽根用第１駆動部材１１の被係止部１１ｃを係止しうる、長孔１ｂの下端部近傍に位置する。このときの状態が、図４に示されている。
【００５７】
その後、直ちに、セット部材１７が、図示していないカメラ本体側の部材に被押動部１７ｃを押されて、時計方向への回転を開始する。すると、セット部材１７の押動部１７ａが先羽根用第２駆動部材１２の被押動部１２ｃを押し、先羽根用第２駆動部材１２を図示していない先羽根用駆動ばねの付勢力に抗して反時計方向へ回転させ始める。このとき、先羽根用第１駆動部材１１には、図示していないセットばねにより、先羽根を介して反時計方向へ回転する力が与えられているが、先羽根用第１駆動部材１１の被係止部１１ｃが、図４に示された位置にある抑止レバー１８ａ−１の係止部１８ａ−１1に当接することによって、反時計方向への回転を抑止させられる。このため、先羽根の３枚の羽根２１〜２３は、開口部１ａから退避したままの状態で、先羽根用第２駆動部材１２だけが反時計方向へ回転を続けることになる。
【００５８】
セット部材１７の押動部１７ａが先羽根用第２駆動部材１２の被押動部１２ｃを押すのと殆ど時期を同じくして、セット部材１７のもう一方の押動部１７ｂが後羽根用駆動部材１４に取り付けられているローラー１５を押し、後羽根用駆動部材１４を図示していない後羽根用駆動ばねの付勢力に抗して反時計方向へ回転させ始める。
【００５９】
その後も、セット部材１７は時計方向への回転を続けるので、後羽根用第２駆動部材１４は、ローラー１５を押動部１７ｂに押され、図示していない後羽根用駆動ばねの付勢力に抗して反時計方向へ回転させられる。そのため、後羽根の３枚の羽根２６〜２８は、隣接する羽根同士の重なりを大きくしながら上方へ移動し、スリット形成羽根２８の下端縁で開口部１ａを開いていく。そして、後羽根用駆動部材１４の駆動ピン１４ｂが長孔１ｃの上端部に当接することによって、後羽根用駆動部材１４の反時計方向への回転が停止する。これにより、画枠が開放状態になる。
【００６０】
また、先羽根用第２駆動部材１２と後羽根用駆動部材１４に取り付けられている鉄片部材１３，１６の鉄片部１３ｃ，１４ｃが、相前後して先羽根用電磁石６と後羽根用電磁石７の鉄芯部材６ａ，７ａの磁極部に接触する。
図５は画枠が開放状態になったときの状態を示している。
【００６１】
セット部材１７は、その後も僅かに回転したところで停止させられるが、その過程で、鉄片部材１３，１６の鉄片部１３ｃ，１６ｃが、図示していない圧縮ばねの付勢力に抗して取付部１２ａ，１４ａ内に押し込まれるので、反対側に軸部１３ａ，１６ａの一部が出現し、頭部１３ｂ，１６ｂが取付部１２ａ，１４ａから離れた状態になる。
【００６２】
このようにして、セット部材１７が、そのセット位置で停止したときには、開口部１ａが全開になる。その状態がセット作動完了状態、即ち次の撮影の待機状態であり、セット部材１７は、次の撮影が行われるまで、図示していない復帰ばねの付勢力に抗して、カメラ本体側の部材によってこの状態を維持させられている。従って、この状態においては、開口部１ａが全開になっているので、カメラの電源をオフにしない限り、被写体像を、電子ファインダで観察することが可能となる。
【００６３】
尚、本実施例は、ダイレクトタイプのフォーカルプレンシャッタとして構成されているが、係止タイプのフォーカルプレンシャッタとして構成した場合にも、セット作動完了後には、セット部材１７を直ちに初期位置へ復帰させず、本実施例の場合と同様に、セット位置に留めておく必要がある。セット部材１７を初期位置へ復帰させてしまうと、先羽根の３枚の羽根２１〜２３が作動を開始して開口部１ａを覆ってしまうことになり、次の撮影に先立って電子ファインダによる被写体像の観察ができなくなってしまうからである。
【００６４】
次に、このようなセット作動完了後に、次の撮影が行われる場合を説明する。図５に示されている状態を経てセット作動が完了した状態において、電子ファインダで被写体像を観察しながら、カメラのレリーズボタンを押す。すると、実際の撮影（露光作動）を開始する前に、コイル１８ｂ−２に対して片側方向の電流が供給され、電磁石１８ｂが永久磁石１８ａ−１3に対して反発する磁力を発し、反時計方向に抑止レバー１８ａ−１を回転させ、抑止レバー１８ａ−１をストッパ１８ａ−２に当接させる。これにより、係止部１８ａ−１1は、長孔１ｂの下端部近傍から外れた位置に退避させられ、先羽根用第１駆動部材１１の被係止部１１ｃの係止を解除する。次いで、被係止部１１ｃの係止を解除された先羽根用第１駆動部材１１が、図示していない先羽根用セットばねの付勢力によって反時計方向へ回転させられる。これにより、先羽根の３枚の羽根２１〜２３が上方へ移動させられ、開口部１ａを覆う位置に戻っていく。このときの状態が図６に示されている。そして、先羽根用第１駆動部材１１の駆動ピン１１ｂが、長孔１ｂの上端部に取り付けられている、図示していない緩衝部材に当接することによって、先羽根用第１駆動部材１１と先羽根の作動が停止する。
【００６５】
その後、コイル１８ｂ−２に対する片側方向の通電が解除され、電磁石１８ｂは、永久磁石１８ａ−１3に対して反発する磁力を発生させなくなる。これにより、抑止レバー１８ａ−１が、永久磁石１８ａ−１3の鉄芯部材１８ｂ−１に対する吸引力により、時計方向へ回転し、永久磁石１８ａ−１3が鉄芯部材１８ｂ−１に吸着保持されることによって停止させられる。このとき、係止部１８ａ−１1が、先羽根用第１駆動部材１１の被係止部１１ｃを係止しうる、長孔１ｂの下端部近傍に位置する。このときの状態が、図１に示されている。
【００６６】
第１実施例のカメラ用フォーカルプレンシャッタによれば、切換機構１８が、片側方向にのみ通電される電磁石１８ｂと、先羽根用第１駆動部材１１に設けられている被係止部１１ｃを係止可能な係止部１８ａ−１1と、電磁石１８ｂへの片側方向の通電と通電の解除との切換えに応じて電磁石１８ｂに対する力の向きが切換わり、片側方向の通電時には係止部１８ａ−１1を、被係止部１１ｃとの係止を解除可能な位置に移動させ、片側方向の通電の解除時には係止部１８ａ−１1を、被係止部１１ｃを係止可能な位置に移動させる永久電磁石１８ａ−１3とを有する抑止レバー１８ａ−１を有してなり、露光作動後待機前の係止部１８ａ−１1による被係止部１１ｃへの係止と係止の解除とに応じて、先羽根用第１駆動部材１１に対する先羽根の露光開口を閉じる方向への回転の抑止と抑止の解除とが切換わるようにしたので、切換機構に特許文献１，２のような永久磁石回転子やソレノイドを用いた構成に比べてコストを低減することができる。また、永久磁石回転子のような配置の自由度が制限されることもない。さらには、抑止レバー１８ａ−１の係止部１８ａ−１1による被係止部１１ｃへの係止と係止の解除との切換えのために行う電磁石への通電の方向が片側方向のみであるので、抑止レバー１８ａ−１の係止部１８ａ−１1による被係止部１１ｃへの係止時に片側方向の通電が解除され、係止を解除する時のみ片側方向の通電がされるように通電を制御することで、通電時間を減らして、消費電力を低減させることができる。
【００６７】
また、第１実施例のカメラ用フォーカルプレンシャッタによれば、抑止レバー１８ａ−１は、軸１ｇを中心として回転可能であって、一端に係止部１８ａ−１1を有するとともに、他端に第１の永久磁石１８ａ−１3を備え、作動部が第１の永久磁石１８ａ−１3からなり、電磁石１８ｂへの片側方向の通電時には、電磁石１８ｂが第１の永久磁石１８ａ−１3に対する反発力を有し、第１の永久磁石１８ａ−１3の電磁石に対する反発力により、係止部１８ａ−１1が被係止部１１ｃの係止を解除する方向に抑止レバー１８ａ−１が回転し、電磁石１８ｂへの通電の解除時には、第１の永久磁石１８ａ−１3の電磁石１８ｂに対する吸引力により、係止部１８ａ−１1が被係止部１１ｃを係止する方向に抑止レバー１８ａ−１が回転するようにしたので、切換機構の部品数を簡素化することができる。
【００６８】
図７は、第１実施例のカメラ用フォーカルプレンシャッタにおける、ノーマリーオープン方式の撮影での作動の変形例を示す図である。
本変形例では、図２の状態から抑止レバー１８ａ−１を先羽根用第１駆動部材１１の被係止部１１ｃの走行軌道外に移動させることなく、露光作動を開始させる。
詳しくは、抑止レバー１８ａ−１が、先羽根用第１駆動部材１１の被係止部１１ｃを係止しうる、長孔１ｂの下端部近傍に位置した状態のまま、先羽根用電磁石６と後羽根用電磁石７とが、被写体光の明るさに対応した所定の時間間隔で順に消磁される。先羽根用電磁石６が消磁すると、鉄片部材１３に対する鉄芯部材６ａの吸引力が失われ、先羽根用第２駆動部材１２が、図示していない先羽根用駆動ばねの付勢力によって時計方向へ急速に回転させられる。そのとき、先羽根用第２駆動部材１２は、押動部１２ｂが先羽根用第１駆動部材１１の被押動部１１ａを押し、先羽根用第１駆動部材１１を、図示していない先羽根用セットばねの付勢力に抗して時計方向へ回転させるので、先羽根の３枚の羽根２１〜２３は、隣接する羽根同士の重なりを大きくしながら下方へ移動し、スリット形成羽根２３の上端縁で開口部１ａを開いていく。そして、先羽根用第１駆動部材１１の駆動ピン１１ｂが長孔１ｂの下端部に取り付けられている、図示していない緩衝部材に当接する前に、押動部１１ｄが抑止レバー１８ａ−１の被押動部１８ａ−１2に摺接し、被押動部１８ａ−１2を押して抑止レバー１８ａ−１を、電磁石１８ｂに対する永久磁石１８ａ−１3の吸引力に抗して、反時計方向に回転させる。これにより、先羽根用第１駆動部材１１は制動されるようになる。図７は、先羽根用第１駆動部材１１が、そのような制動を受けたときの状態を示したものである。
【００６９】
その後、先羽根用第２駆動部材１２に押動されている先羽根用第１駆動部材１１は、押動部１１ｄが抑止レバー１８ａ−１の被押動部１８ａ−１2を押すことによって制動されながら、さらに、抑止レバー１８ａ−１を、電磁石１８ｂに対する永久磁石１８ａ−１3の吸引力に抗して、反時計方向に回転させる。このとき、抑止レバー１８ａ−１の被押動部１８ａ−１2が先羽根用第１駆動部材１１の被係止部１１ｃの走行軌道外へ退かされるが、永久磁石１８ａ−１3の鉄芯部材１８ｂ−１に対する吸引力は維持されている。
【００７０】
そして、駆動ピン１１ｂが、長孔１ｂの下端部に取り付けられている、図示していない緩衝部材に当接する位置に達したとき、抑止レバー１８ａ−１の被押動部１８ａ−１2が押動部１１ｄから離れて押されない状態となる。このため、抑止レバー１８ａ−１は、永久磁石１８ａ−１3の鉄芯部材１８ｂ−１に対する吸引力により、時計方向に回転させられ、係止部１８ａ−１1が被係止部１１ｃを係止する。これにより、先羽根用第１駆動部材１１のバウンドが静止されるとともに、先羽根用第１駆動部材１１による先羽根の露光開口を閉じる方向への回転が抑止された状態になる。
【００７１】
先羽根用電磁石６が消磁してから所定の時間間隔をおいて、後羽根用電磁石７が消磁する。後羽根用電磁石７の消磁後から露光作動完了状態までの後羽根用駆動部材１４と後羽根の作動は、図２の状態から抑止レバー１８ａ−１を先羽根用第１駆動部材１１の被係止部１１ｃの走行軌道外に移動させ、図３の状態から露光作動を開始させた場合と略同じである。
【００７２】
従って、第１実施例の変形例によれば、セット部材１７が初期位置に復帰した図２の状態から露光作動完了までの間において、コイル１８ｂ−２に対する片側方向の通電及び通電の解除をすることなく、永久磁石１８ａ−１3の鉄芯部材１８ｂ−１に対する吸引力により、係止部１８ａ−１1を、先羽根用第１駆動部材１１の被係止部１１ｃに係止させることができる。このため、抑止レバー１８ａ−１を用いて先羽根用第１駆動部材１１の被係止部１１ｃを係止するために電磁石１８ｂに対して行う片側方向の通電及び通電の解除の回数を、セット作動完了後のカメラのレリーズボタンを押し、先羽根用第１駆動部材１１をセット位置に戻すときのみに減らして、通電時間を短縮することができ、その分、省電力化できる。しかも、抑止レバー１８ａ−１の被押動部１８ａ−１2に押動部１１ｄを摺接・押動させることによって、先羽根用第１駆動部材１１を制動し、先羽根用第１駆動部材１１のバウンドを抑えることができる。このため、連写時における露光作動終了時から次のセット作動までの時間をより一層短縮することができ、連写速度を向上させることができる。
【００７３】
次に、第１実施例のカメラ用フォーカルプレンシャッタにおける、ノーマリークローズ方式の撮影での作動について説明する。
ノーマリークローズ方式の撮影においては、光学ファインダを用いて撮影する場合であるので、図示していない可動ミラーを備えたカメラの場合には可動ミラーがダウン状態なっていて、光学ファインダによって被写体像を観察することができるようになっている。また、コイル１８ｂ−２に対して、常時、片側方向の電流が供給され、電磁石１８ｂが永久磁石１８ｂ−１3に対して反発する磁力を発しており、抑止レバー１８ａ−１がストッパ１８ａ−２に当接し、係止部１８ａ−１1は、先羽根用第１駆動部材１１の被係止部１１ｃの係止を解除しうる、長孔１ｂの下端部近傍から外れた位置に退避させられた状態が維持される。
【００７４】
露光作動完了から次の露光作動開始前までの作動を順に説明すると、露光作動完了状態から、撮像情報の転送可能時間が経過後に、セット部材１７が、図示していないカメラ本体側の部材に被押動部１７ｃを押されて、時計方向への回転を開始し、セット部材１７の押動部１７ａが先羽根用第２駆動部材１２の被押動部１２ｃを押し、先羽根用第２駆動部材１２を図示していない先羽根用駆動ばねの付勢力に抗して反時計方向へ回転させ始める。このとき、先羽根用第１駆動部材１１は、図示していないセットばねの付勢力により、被押動部１１ａが、先羽根用第２駆動部材１２の押動部に当接しながら、先羽根用第２駆動部材１２に追従して反時計方向へ回転させられる。このため、先羽根の３枚の羽根２１〜２３は、展開状態になって開口部１ａを覆っていく。そして、先羽根用駆動部材１１の駆動ピン１１ｂが長孔１ｂの上端部に取り付けられている、図示していない緩衝部材に当接することによって、先羽根用駆動部材１１の反時計方向への回転が停止する。
【００７５】
セット部材１７の押動部１７ａが先羽根用第２駆動部材１２の被押動部１２ｃを押すのと殆ど時期を同じくして、セット部材１７のもう一方の押動部１７ｂが後羽根用駆動部材１４に取り付けられているローラー１５を押し、後羽根用駆動部材１４を図示していない後羽根用駆動ばねの付勢力に抗して反時計方向へ回転させ始める。
【００７６】
その後も、セット部材１７は時計方向への回転を続けるので、後羽根用第２駆動部材１４は、ローラー１５を押動部１７ｂに押され、図示していない後羽根用駆動ばねの付勢力に抗して反時計方向へ回転させられる。そのため、後羽根の３枚の羽根２６〜２８は、隣接する羽根同士の重なりを大きくしながら上方へ移動し、スリット形成羽根２８の下端縁で開口部１ａを開いていく。そして、後羽根用駆動部材１４の駆動ピン１４ｂが長孔１ｃの上端部に当接することによって、後羽根用駆動部材１４の反時計方向への回転が停止する。ノーマリークローズ方式では、この状態が得られたときにセット作動が完了する。
【００７７】
次に、このようなセット作動完了後に、次の撮影が行われる場合を説明する。光学ファインダで被写体像を観察しながら、カメラのレリーズボタンを押す。すると、先羽根用電磁石６と後羽根用電磁石７が励磁状態になり、鉄片部材１３，１６が鉄芯部材６ａ，７ａに吸着保持される。次いで、図示していないカメラ本体側の部材が、セット部材１７の被押動部１７ｃに対する押圧力を解く。これにより、セット部材１７は、図示していない復帰ばねの付勢力によって反時計方向へ回転し、図３に示す位置（この位置を初期位置ということとする。）へ復帰させられていく。
その復帰作動の初期段階において、セット部材１７は、押動部１７ａが先羽根用第２駆動部材１２の被押動部１２ｃから離れ、押動部１７ｂが後羽根用駆動部材１４に取り付けられたローラー１５から離れていくので、先羽根用第２駆動部材１２と後羽根用駆動部材１４は、図示していない先羽根用駆動ばねと後羽根用駆動ばねの付勢力によって時計方向へ回転するが、鉄片部材１３，１６が鉄芯部材６ａ，７ａに吸着保持されているため、僅かに回転したところで、それらの取付部１２ａ，１４ａが鉄片部材１３，１６の頭部１３ｂ，１６ｂに当接して、停止させられる。
【００７８】
このような先羽根用第２駆動部材１２の僅かな回転によって、先羽根用第１駆動部材１１は、その被押動部１１ａを先羽根用第２駆動部材１２の押動部１２ｂに押され、図示していない先羽根用セットばねの付勢力に抗して僅かに回転させられるので、先羽根の３枚の羽根２１〜２３も僅かに下方へ移動させられるが、開口部１ａを開き始める前には停止させられる。また、後羽根用駆動部材１４の僅かな回転によって、図示していない後羽根用セットばねの付勢力に抗して僅かに回転させられるので、後羽根の３枚の羽根２６〜２８も僅かに下方へ移動させられるが、開口部１ａを覆い始める前には停止させられる。先羽根用第１駆動部材１１，先羽根，先羽根用第２駆動部材１２，後羽根用駆動部材１４，後羽根にとっては、このようにして得られた位置が、露光作動開始位置である。
【００７９】
その後、先羽根用電磁石６と後羽根用電磁石７が、被写体光の明るさに対応した所定の時間間隔で順に消磁される。
先羽根用電磁石６と後羽根用電磁石７が消磁された以降の露光作動完了までの作動は、ノーマリーオープン方式と略同じである。
【００８０】
尚、本実施例のセット作動は、上記のように、セット部材１７が、被押動部１７ｄをカメラ本体側の部材に直接押され、図示していない復帰ばねの付勢力に抗して回転させられることによって行われるが、本発明のフォーカルプレンシャッタは、そのような構成に限定されるものではない。周知のように、シャッタ地板１に、カメラ本体側の部材によって操作されるもう一つのセット用の部材を取り付けておき、セット部材１７は、その部材を介して回転させられるように構成してもよく、その場合には、セット部材１７を初期位置へ復帰させるための復帰ばねは、本実施例のように、セット部材１７に掛けてもよいが、そのようなもう一つのセット用の部材に掛けるようにしても構わない。
【００８１】
ところで、既に述べたように、本発明は、係止タイプのフォーカルプレンシャッタとして実施することも可能である。係止タイプのフォーカルプレンシャッタとして構成したときは、セット部材をセット作動終了後、直ちに初期位置へ復帰させることなく、実施例におけるセット部材の場合と同様に、撮影の初期段階であって露光作動が開始される前に、初期位置へ復帰させるようにする必要がある。そこで、本実施例の構成を係止タイプのフォーカルプレンシャッタにする場合の構成を、簡単に説明しておく。
【００８２】
先羽根用第２駆動部材１２と後羽根用駆動部材１４には、本実施例のように鉄片部材１３，１６を取り付けず、それに代わって各々被係止部を形成しておく。そして、図５のセット作動完了状態においては、それらの駆動部材１２，１４は、それらの被係止部が夫々の係止部材に係止される位置を越えるところまで回転されているようにしておき、カメラのレリーズボタンが押され、本実施例のようにセット部材１７が初期位置へ復帰するときの初期段階で、夫々の係止部材に係止されるようにする。そして、その後、セット部材１７が初期位置へ復帰するまでの作動は、上記の実施例の場合と全く同じである。
【００８３】
他方、上記の各係止部材の係止を解除するために設けられている二つの係止解除部材は、セット部材１７が、上記のようにして、初期位置へ復帰作動を開始する前に、夫々のばねの付勢力に抗して、先羽根用電磁石６と後羽根用電磁石７に吸着保持されるようにする。そして、その後、セット部材１７が、上記のように作動して、図２に示された初期位置へ復帰すると、上記の各電磁石に対する通電を順に断つ。それにより、上記の各係止解除部材は、上記の各々のばねの付勢力で作動し、上記の各係止部材による係止を解除するので、先羽根用第２駆動部材１２と後羽根用駆動部材１４は、順に露光作動を開始する。そして、セット作動時には、セット部材１７の作動に連動して、上記の二つの係止解除部材が、各々の電磁石に対して接触させられるようにする。尚、このような作動が得られるようにするための構成は種々知られているが、その一例が、特開２００１−２１５５５５号公報にも記載されている。
【００８４】
第２実施例
次に、主に、図８を用いて、本発明の第２実施例の構成を説明する。図８は、本発明の第２実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。
尚、便宜上、第１実施例と構成が異なる部分について説明し、構成が同じ部分については説明を省略する。また、矢印Ａ〜Ｆ’は図８にのみ示してある。
【００８５】
第２実施例のカメラ用フォーカルプレンシャッタでは、第１実施例の切換機構１８の代わりに切換機構１８’が、シャッタ地板１の表面側に取り付けられている。切換機構１８’は、抑止レバー部１８ａ’と、電磁石１８ｂ’とを有している。
【００８６】
抑止レバー部１８ａ’は、シャッタ地板１の表面側に立設されている軸１ｇに回転可能に取り付けられた抑止部材としての抑止レバー１８ａ−１’と、ストッパ１８ａ−２’を有している。
抑止レバー１８ａ−１’は、一端に先羽根用第１駆動部材１１の被係止部１１ｃを係止可能であって、被係止部１１ｃに係合することによって、先羽根用第１駆動部材１１の反時計方向の回転を係止する係止部１８ａ−１1’と、係止部１８ａ−１1’の外側に形成された被押動部１８ａ−１2’を有し、他端に永久磁石１８ａ−１3’と、両端の間であって軸１ｇの近傍にストッパ部１８ａ−１4’を有している。
係止部１８ａ−１1’、被押動部１８ａ−１2’の構成は、第１実施例の係止部１８ａ−１1、被押動部１８ａ−１2と略同じである。
永久磁石１８ａ−１3’は、コイル１８ｂ−２’に対する片側方向の通電が解除されているときに、電磁石１８ｂ’に対して反発力として作用し、コイル１８ｂ−２’に対する片側方向の通電がされているときに、電磁石１８ｂ’に対して吸引力として作用する磁力を発する。
ストッパ１８−２’は、シャッタ地板１の表面側に設けられていて、抑止レバー１８ａ−１’のストッパ部１８ａ−１4’が当接することによって、係止部１８ａ−１1’による先羽根用第１駆動部材１１の被係止部１１ｃを係止する方向（本実施例では反時計方向、即ち、図１５に示す軸１ｇを中心とした矢印Ｆ’方向）に回転する抑止レバー１８ａ−１’を、係止部１８ａ−１1’により被係止部１１ｃを係止しうる、長孔１ｂの下端部近傍の位置に停止させる。
【００８７】
電磁石１８ｂ’は、各々が略Ｕ字形をしていて二つの脚部の先端を磁極部とした鉄芯部材１８ｂ−１’と、コイル１８ｂ−２’を巻回していて鉄芯部材１８ｂ−１’の一方の脚部に嵌装されたボビンと、永久磁石１８ｂ−３’を有し、シャッタ地板１に螺子止めされている。永久磁石１８ｂ−３’は、永久磁石１８ａ−１3’に近い側の磁極が永久磁石１８ａ−１3’における永久磁石１８ｂ−３’に近い側の磁極と同じであり、永久磁石１８ｂ−３’と永久磁石１８ａ−１3’とは互いに反発する磁力を有している。そして、電磁石１８ｂ’は、コイル１８ｂ−２’に対する片側方向の通電がされると、永久磁石１８ｂ−３’における永久磁石１８ａ−１3’に近い側の磁極から発する磁力を打ち消す磁力を発し、永久磁石１８ａ−１3’の磁力を、鉄芯部材１８ｂ−１’に対する吸引力として作用させ、係止部１８ａ−１1’による先羽根用第１駆動部材１１の被係止部１１ｃの係止を解除する方向（本実施例では、時計方向）に、抑止レバー１８ａ−１’を回転させる。また、電磁石１８ｂ’は、コイル１８ｂ−２’に対する片側方向の通電が解除されると、永久磁石１８ａ−１3’の永久磁石１８ｂ−３’に対する反発力により、係止部１８ａ−１1’による先羽根用第１駆動部材１１の被係止部１１ｃを係止する方向（本実施例では反時計方向）に、抑止レバー１８ａ−１’を回転させる。
図１は、コイル１８ｂ−２’に対する片側方向の通電が解除されている状態において、シャッタ地板１に設けられたストッパ１８−２’にストッパ部１８ａ−１4’が当接することによって抑止レバー１８ａ−１’の反時計方向への回転が停止し、係止部１８ａ−１1’が先羽根用第１駆動部材１１の被係止部１１ｃを係止しうる、長孔１ｂの下端部近傍に位置している状態を示したものである。
【００８８】
なお、永久磁石１８ａ−１3’は、コイル１８ｂ−２’に対する片側方向の通電が解除されているときに電磁石１８ｂ’に対して吸引力として作用し、コイル１８ｂ−２’に対する片側方向の通電がされているときに、電磁石１８ｂ’に対して反発力として作用する磁力を発するようにしてもよい。その場合には、永久磁石１８ｂ−３’が、永久磁石１８ａ−１3’に近い側の磁極を永久磁石１８ａ−１3’と異ならせ、永久磁石１８ｂ−３’と永久磁石１８ａ−１3’とが互いに吸引する磁力を有するようにし、コイル１８ｂ−２’に対する片側方向の通電がされたときに、電磁石１８ｂ’が、永久磁石１８ｂ−３’における永久磁石１８ａ−１3’に近い側の磁極から発する磁力を打ち消し、さらに永久磁石１８ａ−１3’に対して反発する磁力を発するように構成する。それとともに、抑止レバー１８ａ−１’は、係止部１８ａ−１1’による先羽根用第１駆動部材１１の被係止部１１ｃを係止するための回転方向が時計方向、係止を解除するための回転方向が反時計方向となるように、係止部１８ａ−１1’、被押動部１８ａ−２’を形成する。
その他の構成は、第１実施例のカメラ用フォーカルプレンシャッタと略同じである。
【００８９】
次に、上記の構成説明に用いた図８と、図９〜図１４を用いて第２実施例のカメラ用フォーカルプレンシャッタにおけるノーマリーオープン方式の撮影での作動を説明する。
図８は、既に説明したように、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示したものである。このときの先羽根用第１駆動部材１１、先羽根用第２駆動部材１２、後羽根用駆動部材１４、セット部材１７の作動状態は、図１に示した第１実施例のカメラ用フォーカルプレンシャッタと略同じである。
【００９０】
電磁石１８ｂ’は、コイル１８ｂ−２’に対する片側方向の通電が解除状態となっていて永久磁石１８ｂ−３’における永久磁石１８ａ−１3’に近い側の磁極から発する磁力を打ち消す磁力を発生させていない。そのため、抑止レバー１８ａ−１’が、永久磁石１８ａ−１3’の永久磁石１８ｂ−３’に対する反発力により、反時計方向へ回転し、ストッパ部１８ａ−１4’がシャッタ地板１に設けられたストッパ１８−２’に当接することによって停止させられており、係止部１８ａ−１1’が、先羽根用第１駆動部材１１の被係止部１１ｃを係止しうる、長孔１ｂの下端部近傍に位置している。
【００９１】
図８に示された状態の後、先羽根用電磁石６と後羽根用電磁石７が励磁状態になり、鉄片部材１３，１６が鉄芯部材６ａ，７ａに吸着保持される。次いで、図示していないカメラ本体側の部材が、セット部材１７の被押動部１７ｃに対する押圧力を解く。これにより、セット部材１７は、図示していない復帰ばねの付勢力によって反時計方向へ回転し、図９に示す位置（この位置を初期位置ということとする。）へ復帰させられていく。
そのときのセット部材１７、先羽根用第１駆動部材１１、先羽根用第２駆動部材１２、後羽根用駆動部材１４、先羽根、後羽根の作動状態は、図２に示した第１実施例のカメラ用フォーカルプレンシャッタと略同じである。
【００９２】
セット部材１７がセット位置から初期位置へ復帰するころと殆ど時期を同じくして、電磁石１８ｂ’は、コイル１８ｂ−２’に対して片側方向の電流が供給され、永久磁石１８ｂ−３’における永久磁石１８ａ−１3’に近い側の磁極から発する磁力を打ち消す磁力を発し、永久磁石１８ａ−１3’の磁力を、鉄芯部材１８ｂ−１’に対する吸引力として作用させ、抑止レバー１８ａ−１’を時計方向に回転させ、鉄芯部材１８ｂ−１’に永久磁石１８ａ−１3’を吸着保持させる。これにより、係止部１８ａ−１1’は、先羽根用第１駆動部材１１の被係止部１１ｃの係止を解除しうる、長孔１ｂの下端部近傍から外れた位置に退避させられる。このときの状態が図１０に示されている。
【００９３】
係止部１８ａ−１1’が、先羽根用第１駆動部材１１の被係止部１１ｃの係止を解除しうる、長孔１ｂの下端部近傍から外れた位置に退避させられた後に、先羽根用電磁石６と後羽根用電磁石７が、被写体光の明るさに対応した所定の時間間隔で順に消磁してから露光作動が完了するまでの先羽根用第１駆動部材１１、先羽根用第２駆動部材１２、先羽根、後羽根用駆動部材１４、後羽根の作動状態は、第１実施例のカメラ用フォーカルプレンシャッタと略同じである。
【００９４】
露光作動完了状態になると、直ちに撮像情報が撮像素子から情報処理回路を介して記憶装置に転送される。撮像情報の転送可能時間が経過後に、コイル１８ｂ−２’に対する片側方向の通電が解除され、電磁石１８ｂ’は、永久磁石１８ｂ−３’における永久磁石１８ａ−１3’に近い側の磁極から発する磁力を打ち消す磁力を発生させなくなる。これにより、抑止レバー１８ａ−１’が、永久磁石１８ａ−１3’の永久磁石１８ｂ−３'に対する反発力により、反時計方向へ回転し、ストッパ部１８ａ−１4’がシャッタ地板１に設けられたストッパ１８−２’に当接することによって停止させられる。このとき、係止部１８ａ−１1’が、先羽根用第１駆動部材１１の被係止部１１ｃを係止しうる、長孔１ｂの下端部近傍に位置する。このときの状態が、図１１に示されている。
【００９５】
その後、直ちに、セット部材１７が、図示していないカメラ本体側の部材に被押動部１７ｃを押されて、時計方向への回転を開始する。すると、セット部材１７の押動部１７ａが先羽根用第２駆動部材１２の被押動部１２ｃを押し、先羽根用第２駆動部材１２を図示していない先羽根用駆動ばねの付勢力に抗して反時計方向へ回転させ始める。このとき、先羽根用第１駆動部材１１には、図示していないセットばねにより、先羽根を介して反時計方向へ回転する力が与えられているが、先羽根用第１駆動部材１１の被係止部１１ｃが、図１１に示された位置にある抑止レバー１８ａ−１’の係止部１８ａ−１1’に当接することによって、反時計方向への回転を抑止させられる。このため、先羽根の３枚の羽根２１〜２３は、開口部１ａから退避したままの状態で、先羽根用第２駆動部材１２だけが反時計方向へ回転を続けることになる。
【００９６】
セット部材１７の押動部１７ａが先羽根用第２駆動部材１２の被押動部１２ｃを押すのと殆ど時期を同じくして、セット部材１７のもう一方の押動部１７ｂが後羽根用駆動部材１４に取り付けられているローラー１５を押し、後羽根用駆動部材１４を図示していない後羽根用駆動ばねの付勢力に抗して反時計方向へ回転させ始める。
それ以降のセット作動完了までのセット部材１７、後羽根用駆動部材１４、後羽根、先羽根用第２駆動部材１２の作動状態は、第１実施例のカメラ用フォーカルプレンシャッタと略同じである。
【００９７】
次に、このようなセット作動完了後に、次の撮影が行われる場合を説明する。図１２に示されている状態を経てセット作動が完了した状態において、電子ファインダで被写体像を観察しながら、カメラのレリーズボタンを押す。すると、実際の撮影（露光作動）を開始する前に、コイル１８ｂ−２’に対して片側方向の電流が供給され、電磁石１８ｂ’が永久磁石１８ｂ−３’における永久磁石１８ａ−１3’に近い部位の磁極から発する磁力を打ち消す磁力を発し、永久磁石１８ａ−１3’の磁力を、鉄芯部材１８ｂ−１’に対する吸引力として作用させ、時計方向に抑止レバー１８ａ−１’を回転させ、鉄芯部材１８ｂ−１’に永久磁石１８ａ−１3’を吸着保持させる。これにより、係止部１８ａ−１1’は、長孔１ｂの下端部近傍から外れた位置に退避させられ、先羽根用第１駆動部材１１の被係止部１１ｃの係止を解除する。次いで、被係止部１１ｃの係止を解除された先羽根用第１駆動部材１１が、図示していない先羽根用セットばねの付勢力によって反時計方向へ回転させられる。これにより、先羽根の３枚の羽根２１〜２３が上方へ移動させられ、開口部１ａを覆う位置に戻っていく。そして、先羽根用第１駆動部材１１の駆動ピン１１ｂが、長孔１ｂの上端部に取り付けられている、図示していない緩衝部材に当接することによって、先羽根用第１駆動部材１１と先羽根の作動が停止する。
【００９８】
その後、コイル１８ｂ−２’に対する通電が解除され、電磁石１８ｂ’は、永久磁石１８ｂ−３’における永久磁石１８ａ−１3’に近い部位の磁極から発する磁力を打ち消す磁力を発生させなくなる。これにより、抑止レバー１８ａ−１’が、永久磁石１８ａ−１3’の永久磁石１８ｂ−３’に対する反発力により、反時計方向へ回転し、ストッパ部１８ａ−１4’がシャッタ地板１に設けられたストッパ１８−２’が当接することによって停止させられる。このとき、係止部１８ａ−１1’が、先羽根用第１駆動部材１１の被係止部１１ｃを係止しうる、長孔１ｂの下端部近傍に位置する。このときの状態が、図８に示されている。
【００９９】
第２実施例のフォーカルプレンシャッタによれば、さらに、電磁石１８ｂ’が、第１の永久磁石１８ａ−１3’に対する反発力を有する第２の永久磁石１８ｂ−３’を備え、電磁石１８ｂ’への片側方向の通電時には、電磁石１８ｂ’が第２の永久磁石１８ｂ−３’の第１の永久磁石１８ａ−１3’に対する反発力を打ち消す磁力を発し、第１の永久磁石１８ａ−１3’の電磁石１８ｂ’に対する吸引力により、係止部１８ａ−１1’が被係止部１１ｃの係止を解除する方向に抑止レバー１８ａ−１’が回転し、電磁石１８ｂ’への片側方向の通電の解除時には、第２の永久磁石１８ｂ−３’の第１の永久磁石１８ａ−１3’に対する反発力により、係止部１８ａ−１1’が被係止部１１ｃを係止する方向に抑止レバー１８ａ−１’が回転するようにしたので、電磁石１８ｂ’への片側方向の通電による抑止レバー１８ａ−１’の回転方向に関し、電磁石１８ｂ’の反発方向あるいは吸引方向のいずれの方向にも設計でき、設計の自由度が大きくなる。
その他の作用効果は、第１実施例のカメラ用フォーカルプレンシャッタと略同じである。
【０１００】
図１４は、第２実施例のカメラ用フォーカルプレンシャッタにおける、ノーマリーオープン方式の撮影での作動の変形例を示す図である。
本変形例では、図９の状態から抑止レバー１８ａ−１’を先羽根用第１駆動部材１１の被係止部１１ｃの走行軌道外に移動させることなく、露光作動を開始させる。
詳しくは、抑止レバー１８ａ−１’が先羽根用第１駆動部材１１の被係止部１１ｃを係止しうる、長孔１ｂの下端部近傍に位置した状態のまま、先羽根用電磁石６と後羽根用電磁石７とが、被写体光の明るさに対応した所定の時間間隔で順に消磁される。先羽根用電磁石６が消磁すると、鉄片部材１３に対する鉄芯部材６ａの吸引力が失われ、先羽根用第２駆動部材１２が、図示していない先羽根用駆動ばねの付勢力によって時計方向へ急速に回転させられる。そのとき、先羽根用第２駆動部材１２は、押動部１２ｂが先羽根用第１駆動部材１１の被押動部１１ａを押し、先羽根用第１駆動部材１１を、図示していない先羽根用セットばねの付勢力に抗して時計方向へ回転させるので、先羽根の３枚の羽根２１〜２３は、隣接する羽根同士の重なりを大きくしながら下方へ移動し、スリット形成羽根２３の上端縁で開口部１ａを開いていく。そして、先羽根用第１駆動部材１１の駆動ピン１１ｂが長孔１ｂの下端部に取り付けられている、図示していない緩衝部材に当接する前に、押動部１１ｄが抑止レバー１８ａ−１’の被押動部１８ａ−１2’に摺接し、被押動部１８ａ−１2’を押して抑止レバー１８ａ−１’を、永久磁石１８ａ−１3’の永久磁石１８ｂ−３’に対して反発する磁力に抗して、時計方向に回転させる。これにより、先羽根用第１駆動部材１１は制動されるようになる。図１４は、先羽根用第１駆動部材１１が、そのような制動を受けたときの状態を示したものである。
【０１０１】
その後、先羽根用第２駆動部材１２に押動されている先羽根用第１駆動部材１１は、押動部１１ｄが抑止レバー１８ａ−１’の被押動部１８ａ−１2’を押すことによって制動されながら、さらに、抑止レバー１８ａ−１’を、永久磁石１８ａ−１3’の永久磁石１８ｂ−３’に対する反発力に抗して、時計方向に回転させる。このとき、抑止レバー１８ａ−１’の被押動部１８ａ−１2’が先羽根用第１駆動部材１１の被係止部１１ｃの走行軌道外へ退かされるが、永久磁石１８ａ−１3’の永久磁石１８ｂ−３’に対する反発力は維持されている。
【０１０２】
そして、駆動ピン１１ｂが、長孔１ｂの下端部に取り付けられている、図示していない緩衝部材に当接する位置に達したとき、抑止レバー１８ａ−１’の被押動部１８ａ−１2’が押動部１１ｄから離れて押されない状態となる。このため、抑止レバー１８ａ−１’は、永久磁石１８ａ−１3’の永久磁石１８ｂ−３’に対する反発力により、反時計方向に回転させられ、係止部１８ａ−１1’が被係止部１１ｃを係止する。これにより、先羽根用第１駆動部材１１のバウンドが静止されるとともに、先羽根用第１駆動部材１１による先羽根の露光開口を閉じる方向への回転が抑止された状態になる。
【０１０３】
先羽根用電磁石６が消磁してから所定時間後に、後羽根用電磁石７が消磁する。後羽根用電磁石７の消磁後から露光作動完了状態までの後羽根用駆動部材１４と後羽根の作動は、第１実施例のフォーカルプレンシャッタと略同じである。
【０１０４】
従って、第２実施例の変形例によれば、セット部材１７が初期位置に復帰した図９の状態から露光作動完了までの間において、コイル１８ｂ−２’に対する片側方向の通電及び通電の解除をすることなく、永久磁石１８ａ−１3’の永久磁石１８ｂ−３’に対する反発力により、係止部１８ａ−１1’を、先羽根用第１駆動部材１１の被係止部１１ｃに係止させることができる。このため、抑止レバー１８ａ−１’を用いて先羽根用第１駆動部材１１の被係止部１１ｃを係止するために電磁石１８ｂ’に対して行う片側方向の通電及び通電の解除の回数を、セット作動完了後のカメラのレリーズボタンを押し、先羽根用第１駆動部材１１をセット位置に戻すときのみに減らして、通電時間を短縮することができ、その分、省電力化できる。しかも、抑止レバー１８ａ−１’の被押動部１８ａ−１2’に押動部１１ｄを摺接・押動させることによって、先羽根用第１駆動部材１１を制動し、先羽根用第１駆動部材１１のバウンドを抑えることができる。このため、露光作動終了時から次のセット作動までの時間をより一層短縮することができ、連写速度を向上させることができる。
【０１０５】
次に、第２実施例のカメラ用フォーカルプレンシャッタにおける、ノーマリークローズ方式の撮影での作動について説明する。
ノーマリークローズ方式の撮影においては、光学ファインダを用いて撮影する場合であるので、図示していない可動ミラーを備えたカメラの場合には可動ミラーがダウン状態なっていて、光学ファインダによって被写体像を観察することができるようになっている。また、コイル１８ｂ−２’に対して、常時、片側方向の電流が供給され、電磁石１８ｂ’が永久磁石１８ｂ−３’における永久磁石１８ａ−１3’に近い側の磁極から発する磁力を打ち消す磁力を発し、永久磁石１８ａ−１3’の磁力を、鉄芯部材１８ｂ−１’に対する吸引力として作用させており、永久磁石１８ａ−１3’が鉄芯部材１８ｂ−１’を吸着保持し、係止部１８ａ−１1’は、先羽根用第１駆動部材１１の被係止部１１ｃの係止を解除しうる、長孔１ｂの下端部近傍から外れた位置に退避させられた状態が維持される。
【０１０６】
露光作動完了から次の露光作動完了までの作動は、第１実施例のカメラ用フォーカルプレンシャッタにおける、ノーマリークローズ方式の撮影での作動と略同じである。
【０１０７】
第３実施例
次に、主に、図１５を用いて、本発明の第３実施例の構成を説明する。図１５は、本発明の第３実施例にかかるカメラ用フォーカルプレンシャッタにおける、ノーマリーオープン方式の撮影において、セット作動が完了し、レリーズボタンを押されることによって、抑止レバーが先羽根用第１駆動部材の被係止部の走行軌道外に移動して先羽根用第１駆動部材の係止を解除し、先羽根が露光開口を覆う位置に戻った後、抑止レバーが先羽根用第１駆動部材の被係止部の走行軌道内に移動した状態を示す、被写体側から左側約半分を拡大した平面図である。
尚、便宜上、第１実施例と構成が異なる部分について説明し、構成が同じ部分については説明を省略する。また、矢印Ａ〜Ｆ’は図１５にのみ示してある。
【０１０８】
第３実施例のカメラ用フォーカルプレンシャッタでは、第１実施例の切換機構１８の代わりに切換機構１８”が、シャッタ地板１の表面側に取り付けられている。切換機構１８”は、抑止レバー部１８ａ”と、電磁石１８ｂ”とを有している。
【０１０９】
抑止レバー部１８ａ”は、シャッタ地板１の表面側に立設されている軸１ｇに回転可能に取り付けられた抑止部材としての抑止レバー１８ａ−１”と、ストッパ１８ａ−２”と、係止ばね１８ａ−３”と、ばね掛け部１８ａ−４”と、を有している。
抑止レバー１８ａ−１”は、一端に先羽根用第１駆動部材１１の被係止部１１ｃを係止可能であって、被係止部１１ｃに係合することによって、先羽根用第１駆動部材１１の反時計方向の回転を係止する係止部１８ａ−１1”と、係止部１８ａ−１1”の外側に形成された被押動部１８ａ−１2”を有し、他端に強磁性体部としての鉄片１８ａ−１3”と、両端の間であって軸１ｇの近傍にストッパ部１８ａ−１4”を有している。
係止部１８ａ−１1”、被押動部１８ａ−１2”の構成は、第１実施例の係止部１８ａ−１1、被押動部１８ａ−１2と略同じである。
ストッバ部１８ａ−１4”、ストッパ１８ａ−２”の構成は、第２実施例のストッバ部１８ａ−１4’、ストッパ１８ａ−２’と略同じである。
係止ばね１８ａ−３”は、軸１ｇに嵌装され、一端が抑止レバー１８ａ−１”に掛けられるとともに、他端がばね掛け部１８ａ−４”に掛けられていて、係止部１８ａ−１1”により先羽根用第１駆動部材１１の被係止部１１ｃを係止する方向（本実施例では反時計方向、即ち、図１５に示す軸１ｇを中心とした矢印Ｆ’方向）に、抑止レバー１８ａ−１”を回転させる付勢力を有している。
そして、鉄片１８ａ−１3”と係止ばね１８ａ−３”は、後述するように、電磁石１８ｂ”への片側方向の通電と通電の解除との切換えに応じて電磁石１８ｂ”に対する力の向きが切換わる作動部として機能する。
【０１１０】
電磁石１８ｂ”は、各々が略Ｕ字形をしていて二つの脚部の先端を磁極部とした鉄芯部材１８ｂ−１”と、コイル１８ｂ−２”を巻回していて鉄芯部材１８ｂ−１”の一方の脚部に嵌装されたボビンを有し、シャッタ地板１に螺子止めされている。そして、電磁石１８ｂ”は、コイル１８ｂ−２”に対する片側方向の通電がされると、鉄片１８ａ−１3”を吸引する磁力を発し、係止ばね１８ａ−３”の付勢力に抗して、係止部１８ａ−１1”による先羽根用第１駆動部材１１の被係止部１１ｃの係止を解除する方向（本実施例では時計方向）に、抑止レバー１８ａ−１”を回転させる。また、電磁石１８ｂ”は、コイル１８ｂ−２”に対する片側方向の通電が解除されると、鉄片１８ａ−１3”を吸引する磁力を発しない。このため、係止ばね１８ａ−３”の付勢力により、係止部１８ａ−１1’による先羽根用第１駆動部材１１の被係止部１１ｃを係止する方向（本実施例では反時計方向）に、抑止レバー１８ａ−１’が回転する。
図１５は、コイル１８ｂ−２”に対する片側方向の通電が解除されている状態において、シャッタ地板１に設けられたストッパ１８−２”にストッパ部１８ａ−１4”が当接することによって抑止レバー１８ａ−１”の反時計方向への回転が停止し、係止部１８ａ−１1”が先羽根用第１駆動部材１１の被係止部１１ｃを係止しうる、長孔１ｂの下端部近傍に位置している状態を示したものである。
その他の構成は、第１実施例のカメラ用フォーカルプレンシャッタと略同じである。
【０１１１】
次に、上記の構成説明に用いた図１５と、図１６〜図２１を用いて第３実施例のカメラ用フォーカルプレンシャッタにおける、ノーマリーオープン方式の撮影での作動を説明する。
図１５は、既に説明したように、ノーマリーオープン方式の撮影において、セット作動が完了し、レリーズボタンを押されることによって、抑止レバー１８ａ−１”が先羽根用第１駆動部材１１の被係止部１１ｃの走行軌道外に移動して先羽根用第１駆動部材１１の係止を解除し、先羽根が露光開口を覆う位置に戻った後、抑止レバー１８ａ−１”が先羽根用第１駆動部材１１の被係止部１１ｃの走行軌道内に移動した状態を示したものである。このときの先羽根用第１駆動部材１１、先羽根用第２駆動部材１２、後羽根用駆動部材１４、セット部材１７の作動状態は、図１に示した第１実施例のカメラ用フォーカルプレンシャッタと略同じである。
【０１１２】
電磁石１８ｂ”は、コイル１８ｂ−２”に対する通電が解除された状態となっていて磁力を発生させていない。そのため、抑止レバー１８ａ−１”が係止ばね１８ａ−３”の付勢力により反時計方向へ回転し、ストッパ部１８ａ−１4”がシャッタ地板１に設けられたストッパ１８−２”に当接することによって停止させられており、係止部１８ａ−１1”が、先羽根用第１駆動部材１１の被係止部１１ｃを係止しうる、長孔１ｂの下端部近傍に位置している。
【０１１３】
図１５に示された状態が得られた後、先羽根用電磁石６と後羽根用電磁石７が励磁状態になり、鉄片部材１３，１６が鉄芯部材６ａ，７ａに吸着保持される。次いで、図示していないカメラ本体側の部材が、セット部材１７の被押動部１７ｃに対する押圧力を解く。これにより、セット部材１７は、図示していない復帰ばねの付勢力によって反時計方向へ回転し、図１６に示す位置（この位置を初期位置ということとする。）へ復帰させられていく。
そのときのセット部材１７、先羽根用第１駆動部材１１、先羽根用第２駆動部材１２、後羽根用駆動部材１４、先羽根、後羽根の作動状態は、図２に示した第１実施例のカメラ用フォーカルプレンシャッタと略同じである。
【０１１４】
セット部材１７がセット位置から初期位置へ復帰するころと殆ど時期を同じくして、切換機構１８”は、コイル１８ｂ−２”に対して片側方向の電流が供給され、電磁石１８ｂ”が鉄片１８ａ−１3”を吸引する磁力を発し、抑止レバー１８ａ−１”を係止ばね１８ａ−３”の付勢力に抗して時計方向に回転させ、鉄芯部材１８ｂ−１”に鉄片１８ａ−１3”を吸着保持させる。これにより、係止部１８ａ−１1”は、先羽根用第１駆動部材１１の被係止部１１ｃの係止を解除しうる、長孔１ｂの下端部近傍から外れた位置に退避させられる。このときの状態が図１７に示されている。
【０１１５】
係止部１８ａ−１1”が、先羽根用第１駆動部材１１の被係止部１１ｃの係止を解除しうる、長孔１ｂの下端部近傍から外れた位置に退避させられた後に、先羽根用電磁石６と後羽根用電磁石７とが、被写体光の明るさに対応した所定の時間間隔で順に消磁してから露光作動が完了するまでの先羽根用第１駆動部材１１、先羽根用第２駆動部材１２、先羽根、後羽根用駆動部材１４、後羽根の作動状態は、第１実施例のカメラ用フォーカルプレンシャッタと略同じである。
【０１１６】
露光作動完了状態になると、直ちに撮像情報が撮像素子から情報処理回路を介して記憶装置に転送され。撮像情報の転送可能時間が経過後に、コイル１８ｂ−２”に対する通電が解除され、電磁石１８ｂ”は、磁力を発生させなくなる。これにより、抑止レバー１８ａ−１”が係止ばね１８ａ−３”の付勢力により反時計方向へ回転し、ストッパ部１８ａ−１4”がシャッタ地板１に設けられたストッパ１８−２”が当接することによって停止させられる。このとき、係止部１８ａ−１1”が、先羽根用第１駆動部材１１の被係止部１１ｃを係止しうる、長孔１ｂの下端部近傍に位置する。このときの状態が、図１８に示されている。
【０１１７】
その後、直ちに、セット部材１７が、図示していないカメラ本体側の部材に被押動部１７ｃを押されて、時計方向への回転を開始する。すると、セット部材１７の押動部１７ａが先羽根用第２駆動部材１２の被押動部１２ｃを押し、先羽根用第２駆動部材１２を図示していない先羽根用駆動ばねの付勢力に抗して反時計方向へ回転させ始める。このとき、先羽根用第１駆動部材１１には、図示していないセットばねにより、先羽根を介して反時計方向へ回転する力が与えられているが、先羽根用第１駆動部材１１の被係止部１１ｃが、図１８に示された位置にある抑止レバー１８ａ−１”の係止部１８ａ−１1”に当接することによって、反時計方向への回転を抑止させられる。このため、先羽根の３枚の羽根２１〜２３は、開口部１ａから退避したままの状態で、先羽根用第２駆動部材１２だけが反時計方向へ回転を続けることになる。
【０１１８】
セット部材１７の押動部１７ａが先羽根用第２駆動部材１２の被押動部１２ｃを押すのと殆ど時期を同じくして、セット部材１７のもう一方の押動部１７ｂが後羽根用駆動部材１４に取り付けられているローラー１５を押し、後羽根用駆動部材１４を図示していない後羽根用駆動ばねの付勢力に抗して反時計方向へ回転させ始める。
それ以降のセット作動完了までのセット部材１７、後羽根用駆動部材１４、後羽根、先羽根用第２駆動部材１２の作動状態は、第１実施例のカメラ用フォーカルプレンシャッタと略同じである。
【０１１９】
次に、このようなセット作動完了後に、次の撮影が行われる場合を説明する。図１９に示されている状態を経てセット作動が完了した状態において、電子ファインダで被写体像を観察しながら、カメラのレリーズボタンを押す。すると、実際の撮影（露光作動）を開始する前に、コイル１８ｂ−２”に対して片側方向の電流が供給され、電磁石１８ｂ”が鉄片１８ａ−１3”を吸引する磁力を発し、抑止レバー１８ａ−１”を係止ばね１８ａ−３”の付勢力に抗して時計方向に回転させ、鉄芯部材１８ｂ−１”が鉄片１８ａ−１3”を吸着保持する。これにより、係止部１８ａ−１1”は、長孔１ｂの下端部近傍から外れた位置に退避させられ、先羽根用第１駆動部材１１の被係止部１１ｃの係止を解除する。次いで、被係止部１１ｃの係止を解除された先羽根用第１駆動部材１１が、図示していない先羽根用セットばねの付勢力によって反時計方向へ回転させられる。これにより、先羽根の３枚の羽根２１〜２３が、上方へ移動させられ、開口部１ａを覆う位置に戻っていく。そして、先羽根用第１駆動部材１１の駆動ピン１１ｂが、長孔１ｂの上端部に取り付けられている、図示していない緩衝部材に当接することによって、先羽根用第１駆動部材１１と先羽根の作動が停止する。
【０１２０】
その後、コイル１８ｂ−２”に対する通電が解除され、電磁石１８ｂ”が磁力を発生させなくなる。これにより、抑止レバー１８ａ−１”が係止ばね１８ａ−３”の付勢力により反時計方向へ回転し、ストッパ部１８ａ−１4”がシャッタ地板１に設けられたストッパ１８−２”に当接することによって停止させられる。このとき、係止部１８ａ−１1”が、先羽根用第１駆動部材１１の被係止部１１ｃを係止しうる、長孔１ｂの下端部近傍に位置する。このときの状態が、図１５に示されている。
【０１２１】
第３実施例のフォーカルプレンシャッタによれば、抑止レバー１８ａ−１”が、軸１ｇを中心として回転可能であって、一端に係止部１８ａ−１1”を有するとともに、他端に強磁性体部１８ａ−１3”を備え、さらに、他端を電磁石１８ｂ”から離す方向に付勢するばね１８−３”を備え、作動部が強磁性体部１８ａ−１3”と他端を電磁石１８ｂ”から離す方向に付勢するばね１８−３”とからなり、電磁石１８ｂ”への片側方向の通電時には、電磁石１８ｂ”が強磁性体部１８ａ−１3”に対する吸引力を有し、強磁性体部１８ａ−１3”の電磁石１８ｂ”に対する吸引力により、電磁石１８ｂ”から離す方向に付勢するばね１８−３”の付勢力に抗して係止部１８ａ−１1”が被係止部１１ｃの係止を解除する方向に抑止レバー１８ａ−１”が回転し、電磁石１８ｂ”への通電の解除時には、電磁石１８ｂ”から離す方向に付勢するばね１８−３”の力により、係止部１８ａ−１1”が被係止部１１ｃを係止する方向に抑止レバー１８ａ−１”が回転するようにしたので、抑止部材に磁石を用いない構成が実現できる。
その他の作用効果は、第１実施例のカメラ用フォーカルプレンシャッタと略同じである。
【０１２２】
図２１は、第３実施例のカメラ用フォーカルプレンシャッタにおける、ノーマリーオープン方式の撮影での作動の変形例を示す図である。
本変形例では、図１６の状態から抑止レバー１８ａ−１”を先羽根用第１駆動部材１１の被係止部１１ｃの走行軌道外に移動させることなく、露光作動を開始させる。
詳しくは、切換機構１８”の抑止レバー１８ａ−１”が先羽根用第１駆動部材１１の被係止部１１ｃを係止しうる、長孔１ｂの下端部近傍に位置した状態のまま、先羽根用電磁石６と後羽根用電磁石７とが、被写体光の明るさに対応した所定の時間間隔で順に消磁される。先羽根用電磁石６が消磁すると、鉄片部材１３に対する鉄芯部材６ａの吸引力が失われ、先羽根用第２駆動部材１２が、図示していない先羽根用駆動ばねの付勢力によって時計方向へ急速に回転させられる。そのとき、先羽根用第２駆動部材１２は、押動部１２ｂが先羽根用第１駆動部材１１の被押動部１１ａを押し、先羽根用第１駆動部材１１を、図示していない先羽根用セットばねの付勢力に抗して時計方向へ回転させるので、先羽根の３枚の羽根２１〜２３は、隣接する羽根同士の重なりを大きくしながら下方へ移動し、スリット形成羽根２３の上端縁で開口部１ａを開いていく。そして、先羽根用第１駆動部材１１の駆動ピン１１ｂが長孔１ｂの下端部に取り付けられている、図示していない緩衝部材に当接する前に、押動部１１ｄが抑止レバー１８ａ−１”の被押動部１８ａ−１2”に摺接し、被押動部１８ａ−１2”を押して抑止レバー１８ａ−１”を係止ばね１８ａ−３”の付勢力に抗して時計方向に回転させる。これにより、先羽根用第１駆動部材１１は制動されるようになる。図２１は、先羽根用第１駆動部材１１が、そのような制動を受けたときの状態を示したものである。
【０１２３】
その後、先羽根用第２駆動部材１２に押動されている先羽根用第１駆動部材１１は、押動部１１ｄが抑止レバー１８ａ−１”の被押動部１８ａ−１2”を押すことによって制動されながら、さらに、抑止レバー１８ａ−１”を係止ばね１８ａ−３”の付勢力に抗して時計方向に回転させる。このとき、抑止レバー１８ａ−１”の被押動部１８ａ−１2”が先羽根用第１駆動部材１１の被係止部１１ｃの走行軌道外へ退かされるが、係止ばね１８ａ−３”に付与された反時計方向へ回転する力は維持されている。
【０１２４】
そして、駆動ピン１１ｂが、長孔１ｂの下端部に取り付けられている、図示していない緩衝部材に当接する位置に達したとき、抑止レバー１８ａ−１”の被押動部１８ａ−１2”が押動部１１ｄから離れて押されない状態となる。このため、抑止レバー１８ａ−１”は係止ばね１８ａ−３”の付勢力により反時計方向に回転させられ、係止部１８ａ−１1”が被係止部１１ｃを係止する。これにより、先羽根用第１駆動部材１１のバウンドが静止されるとともに、先羽根用第１駆動部材１１による先羽根の露光開口を閉じる方向への回転が抑止された状態になる。
【０１２５】
先羽根用電磁石６が消磁してから所定時間後に、後羽根用電磁石７が消磁する。後羽根用電磁石７の消磁後から露光作動完了状態までの後羽根用駆動部材１４と後羽根の作動は、第１実施例のフォーカルプレンシャッタと略同じである。
【０１２６】
従って、第３実施例の変形例によれば、セット部材１７が初期位置に復帰した図１６の状態から露光作動完了までの間において、コイル１８ｂ−２”に対する片側方向の通電及び通電の解除をすることなく、係止ばね１８ａ−３”の付勢力により、係止部１８ａ−１1”を、先羽根用第１駆動部材１１の被係止部１１ｃに係止させることができる。このため、抑止レバー１８ａ−１”を用いて先羽根用第１駆動部材１１の被係止部１１ｃを係止するために電磁石１８ｂ”に対して行う片側方向の通電及び通電の解除の回数を、セット作動完了後のカメラのレリーズボタンを押し、先羽根用第１駆動部材１１をセット位置に戻すときのみに減らして、通電時間を短縮することができ、その分、省電力化できる。しかも、抑止レバー１８ａ−１”の被押動部１８ａ−２”に押動部１１ｄを摺接・押動させることによって、先羽根用第１駆動部材１１を制動し、先羽根用第１駆動部材１１のバウンドを抑えることができる。このため、露光作動終了時から次のセット作動までの時間をより一層短縮することができ、連写速度を向上させることができる。
【０１２７】
次に、第３実施例のカメラ用フォーカルプレンシャッタにおける、ノーマリークローズ方式の撮影での作動について説明する。
ノーマリークローズ方式の撮影においては、光学ファインダを用いて撮影する場合であるので、図示していない可動ミラーを備えたカメラの場合には可動ミラーがダウン状態なっていて、光学ファインダによって被写体像を観察することができるようになっている。また、切換機構１８”のコイル１８ｂ−２”に対して、常時、片側方向の電流が供給され、電磁石１８ｂ”が鉄片１８ａ−１3”を吸引する磁力を発しており、鉄芯部材１８ｂ−１”が鉄片１８ａ−１3”を吸着保持し、係止部１８ａ−１1”は、先羽根用第１駆動部材１１の被係止部１１ｃの係止を解除しうる、長孔１ｂの下端部近傍から外れた位置に退避させられた状態が維持される。
【０１２８】
露光作動完了から次の露光作動完了までの作動は、第１実施例のカメラ用フォーカルプレンシャッタにおける、ノーマリークローズ方式の撮影での作動と略同じである。
【０１２９】
尚、上記各実施例のカメラ用フォーカルプレンシャッタにおいては、先羽根と後羽根とで露光作動を行う撮影の他に、さらに、撮影に際してレリーズボタンが押されると、先羽根を作動させず、電子制御回路が撮像素子を制御することによって撮影が開始され、後羽根が露光開口を閉鎖することによって撮影を終了する、先羽根の代わりに撮像素子の電子シャッタを用いて電子シャッタと後羽根とで露光作動を行う撮影も上記モード選択手段の操作によって選択できるようになっている。
そこで、撮像素子の電子シャッタを用いて電子シャッタと後羽根とで露光作動を行う撮影での作動についても説明する。
【０１３０】
第１実施例のカメラ用フォーカルプレンシャッタにおける先羽根の代わりに電子シャッタを用いた方式の撮影では、切換機構１８のコイル１８ｂ−２に対して、常時、通電されず、抑止レバー１８ａ−１が永久磁石１８ａ−１3の電磁石１８ｂ−３に対して吸引する磁力により時計方向へ回転し、係止部１８ａ−１1が先羽根用第１駆動部材１１の被係止部１１ｃを係止しうる、長孔１ｂの下端部近傍に位置した状態が維持される。また、先羽根用電磁石６は、常時励磁状態にあり、鉄片部材１３が鉄芯部材６ａに吸着保持された状態が維持される。また、セット作動完了状態は、ノーマリーオープン方式の撮影におけるものと略同じ状態となっている。
【０１３１】
次に、このようなセット作動完了後に、次の撮影が行われる場合を説明する。電子ファインダで被写体像を観察しながら、カメラのレリーズボタンを押すと、実際の撮影（露光作動）を開始する前に、後羽根用電磁石が励磁状態になり、鉄片部材１６が鉄芯部材７に吸着保持される。
次に、図示していないカメラ本体側の部材が、セット部材１７の被押動部１７ｃに対する押圧力を解くので、セット部材１７は、図示していない復帰ばねの付勢力によって反時計方向へ回転し、初期位置へ復帰させられていく。
その復帰作動の初期段階において、セット部材１７は、押動部１７ａが先羽根用第２駆動部材１２の被押動部１２ｃから離れ、押動部１７ｂが後羽根用駆動部材１４に取り付けられたローラー１５から離れていくので、先羽根用第２駆動部材１２と後羽根用駆動部材１４は、図示していない先羽根用駆動ばねと後羽根用駆動ばねの付勢力によって時計方向へ回転する。それらのうち、先羽根用第２駆動部材１２は、押動部１２ｂが先羽根用第１駆動部材１１の被押動部１１ａに当接して停止させられる。また、後羽根用駆動部材１４は、鉄片部材１６が鉄芯部材７に吸着保持されているため、僅かに回転したところで、取付部１４ａが鉄片部材１６の頭部１６ｂに当接して、停止させられる。
【０１３２】
このような後羽根用駆動部材１４の僅かな回転によって、図示していない後羽根用セットばねの付勢力に抗して、後羽根の３枚の羽根２６〜２８も僅かに上方へ移動させられるが、開口部１ａを覆い始める前には停止させられる。先羽根用第２駆動部材１２，後羽根用駆動部材１４，後羽根にとっては、このようにして得られた位置が、露光作動開始位置である。
【０１３３】
セット部材１７が初期位置へ復帰後に、先羽根代わりの電子シャッタがＯＮとなり、電子制御回路が撮像素子を制御することによって撮影が開始される。そして、被写体の明るさに対応して決められた所定時間が経過すると、後羽根用電磁石が消磁される。
後羽根用電磁石が消磁すると、鉄片部材１６に対する鉄芯部材７の吸引力が失われ、後羽根用駆動部材１４が、図示していない後羽根用駆動ばねの付勢力によって時計方向へ急速に回転させられる。そのとき、後羽根用駆動部材１４は、後羽根用セットばねの付勢力に抗して時計方向へ回転させるため、後羽根の３枚の羽根２６〜２８は、隣接する羽根同士の重なりを小さくしながら下方へ移動し、スリット形成羽根２８の下端縁で開口部１ａを閉じていく。
【０１３４】
このようにして行われる露光作動の最終段階になると、後羽根用駆動部材１４の駆動ピン１４ｂが、長孔１ｃの下端部に設けられた、図示していない緩衝部材に当接して、後羽根用駆動部材１４と後羽根の作動が停止する。また、後羽根用駆動部材１４の駆動ピン１４ｂの上記緩衝部材への当接と殆ど時期を同じくして、先羽根代わりの電子シャッタがＯＦＦとなり、露光作動が終了する。そのときの状態はノーマリーオープン方式の撮影における露光作動の終了状態と略同じである。
露光作動終了直後の状態からセット作動完了状態までは、ノーマリーオープン方式の撮影での作動と略同じである。
【０１３５】
第２実施施例のカメラ用フォーカルプレンシャッタにおける先羽根の代わりに電子シャッタを用いた方式では、切換機構１８’のコイル１８ｂ−２’に対して、常時、通電されず、電磁石１８ｂ’が永久磁石１８ｂ−３’における永久磁石１８ａ−１3’に近い側の磁極から発する磁力を打ち消す磁力を発生させず、抑止レバー１８ａ−１’が永久磁石１８ａ−１3’の永久磁石１８ｂ−３’に対して反発する磁力により反時計方向へ回転し、係止部１８ａ−１1’が先羽根用第１駆動部材１１の被係止部１１ｃを係止しうる、長孔１ｂの下端部近傍に位置した状態が維持される。また、先羽根用電磁石６は、常時励磁状態にあり、鉄片部材１３が鉄芯部材６ａに吸着保持された状態が維持される。また、セット作動完了状態は、ノーマリーオープン方式の撮影におけるものと略同じ状態となっている。
【０１３６】
次に、このようなセット作動完了後に、次の撮影が行われる場合の作動については、第１実施例のカメラ用フォーカルプレンシャッタにおける先羽根の代わりに電子シャッタを用いた方式と略同じである。尚、露光作動の終了状態はノーマリーオープン方式の撮影における露光作動の終了状態と略同じである。
また、露光作動終了直後の状態からセット作動完了状態までは、ノーマリーオープン方式の撮影での作動と略同じである。
【０１３７】
第３実施施例のフォーカルプレンシャッタにおける先羽根の代わりに電子シャッタを用いた方式では、電子ファインダを用いて撮影する場合であるので、図示していない可動ミラーを備えたカメラの場合には可動ミラーがアップ状態になっている。また、切換機構１８”のコイル１８ｂ−２”に対して、常時、通電されず、電磁石１８ｂ”が磁力を発生させず、抑止レバー１８ａ−１”が係止ばね１８ａ−３”の付勢力により反時計方向へ回転し、係止部１８ａ−１1”が、先羽根用第１駆動部材１１の被係止部１１ｃを係止しうる、長孔１ｂの下端部近傍に位置した状態が維持される。また、先羽根用電磁石６は、常時励磁状態にあり、鉄片部材１３が鉄芯部材６ａに吸着保持された状態が維持される。また、セット作動完了状態は、ノーマリーオープン方式の撮影におけるものと略同じ状態となっている。
【０１３８】
次に、このようなセット作動完了後に、次の撮影が行われる場合の作動については、第１実施例のカメラ用フォーカルプレンシャッタにおける先羽根の代わりに電子シャッタを用いた方式と略同じである。尚、露光作動終了状態はノーマリーオープン方式の撮影における露光作動の終了状態と略同じである。
また、露光作動終了直後の状態からセット作動完了状態までは、ノーマリーオープン方式の撮影での作動と略同じである。
【符号の説明】
【０１３９】
１                              シャッタ地板
１ａ，２ａ，３ａ                開口部
１ｂ，１ｃ                      長孔
１ｄ，１ｅ，１ｆ，１ｇ，１ｈ，１ｉ，１ｊ,１ｋ  軸
２                              中間板
３                              補助地板
４                              支持板
６                              先羽根用電磁石
７                              後羽根用電磁石
６ａ，７ａ                      鉄芯部材
６ｂ，７ｂ                      ボビン
１１                            先羽根用第１駆動部材
１１ａ，１２ｃ，１７ｃ          被押動部
１１ｂ，１４ｂ                  駆動ピン
１１ｃ                          係止部
１１ｄ，１２ｂ，１７ａ、１７ｂ  押動部
１２                            先羽根用第２駆動部材
１２ａ，１４ａ                  取付部
１３，１６                      鉄片部材
１３ａ，１６ａ                  軸部
１３ｂ，１６ｂ                  頭部
１３ｃ，１６ｃ                  鉄片部
１４                            後羽根用駆動部材
１５                            ローラー
１７                            セット部材
１８，１８’，１８”            切換機構
１８ａ，１８ａ’，１８ａ”      抑止レバー部
１８ａ−１，１８ａ−１’，１８ａ−１”          抑止レバー
１８ａ−１1，１８ａ−１1’，１８ａ−１1”        係止部
１８ａ−１2，１８ａ−１2’，１８ａ−１2”        被押動部
１８ａ−１3，１８ａ−１3’        永久磁石
１８ａ−１3”                      鉄片
１８ａ−１4’，１８ａ−１4”        ストッパ部
１８ａ−２，１８ａ−２’，１８ａ−２”          ストッパ
１８ａ−３”                      係止ばね
１８ａ−４”                      ばね掛け部
１８ｂ，１８ｂ’，１８ｂ”        電磁石
１８ｂ−１，１８ｂ−１’，１８ｂ−１”          鉄芯部材
１８ｂ−２，１８ｂ−２’，１８ｂ−２”          コイル
１８ｂ−３’                    永久磁石
１９，２０，２４，２５          アーム
２１，２２，２３，２６，２７，２８              羽根
【図１】
0005941030.tif 000002
【図２】
0005941030.tif 000003
【図３】
0005941030.tif 000004
【図４】
0005941030.tif 000005
【図５】
0005941030.tif 000006
【図６】
0005941030.tif 000007
【図７】
0005941030.tif 000008
【図８】
0005941030.tif 000009
【図９】
0005941030.tif 000010
【図１０】
0005941030.tif 000011
【図１１】
0005941030.tif 000012
【図１２】
0005941030.tif 000013
【図１３】
0005941030.tif 000014
【図１４】
0005941030.tif 000015
【図１５】
0005941030.tif 000016
【図１６】
0005941030.tif 000017
【図１７】
0005941030.tif 000018
【図１８】
0005941030.tif 000019
【図１９】
0005941030.tif 000020
【図２０】
0005941030.tif 000021
【図２１】
0005941030.tif 000022